(57)【特許請求の範囲】
【請求項１】
対向配置された第１針床および第２針床を備えるとともに第１針床上の編針と第２針床上の編針との間で編目を目移し可能に形成された緯編機を使用して編成される多層編地であって、
第１針床上に並設されている多数の編針のうち、第１針床側の編地の編成に使用する編針を、第１使用編針とし、第１針床側の編地の編成には使用しない編針を、第１不使用編針とし、
第２針床上に並設されている多数の編針のうち、第２針床側の編地の編成に使用する編針を、第２使用編針とし、第２針床側の編地の編成には使用しない編針を、第２不使用編針とし、
ｎを、１以上の整数とし、
１本の第１使用編針とｎ本の第１不使用編針とが交互に繰り返されるように、第１針床上に並設されている多数の編針を、第１使用編針と第１不使用編針とに区分けし、
１本の第２使用編針とｎ本の第２不使用編針とが交互に繰り返されるように、かつ、第２使用編針が第１使用編針とは対向しないようずれた位置になるように、第２針床上に並設されている多数の編針を、第２使用編針と第２不使用編針とに区分けし、
（Ａ１）各第１使用編針で順次編目を形成する工程と、
（Ａ２）各第１使用編針で形成された編目を、目移しするものと目移ししないものとに区分けし、目移ししないものについては、第１使用編針に残しつつ、目移しするものについては、対向位置にある第２不使用編針へ目移しする工程と、
（Ａ３）上記（Ａ２）の工程で第１使用編針に残された編目と上記（Ａ２）の工程で第２不使用編針へ目移しされた編目とを接結する工程と、
（Ａ４）上記（Ａ２）の工程で編目が残された各第１使用編針で順次編目を形成する工程と、
（Ａ５）上記（Ａ２）の工程で編目が目移しされた各第２不使用編針で順次編目を形成する工程と、
（Ａ６）上記（Ａ２）の工程で第２不使用編針へ目移しされた編目を、目移しされる前の元の第１使用編針へ移し戻す工程と、
によって編成される層を含むことを特徴とする多層編地。
【請求項２】
対向配置された第１針床および第２針床を備えるとともに第１針床上の編針と第２針床上の編針との間で編目を目移し可能に形成された緯編機を使用して編成される多層編地であって、
第１針床上に並設されている多数の編針のうち、第１針床側の編地の編成に使用する編針を、第１使用編針とし、第１針床側の編地の編成には使用しない編針を、第１不使用編針とし、
第２針床上に並設されている多数の編針のうち、第２針床側の編地の編成に使用する編針を、第２使用編針とし、第２針床側の編地の編成には使用しない編針を、第２不使用編針とし、
ｎを、１以上の整数とし、
１本の第１使用編針とｎ本の第１不使用編針とが交互に繰り返されるように、第１針床上に並設されている多数の編針を、第１使用編針と第１不使用編針とに区分けし、
１本の第２使用編針とｎ本の第２不使用編針とが交互に繰り返されるように、かつ、第２使用編針が第１使用編針とは対向しないようずれた位置になるように、第２針床上に並設されている多数の編針を、第２使用編針と第２不使用編針とに区分けし、
（Ｂ１）各第１使用編針で順次編目を形成する工程と、
（Ｂ２）各第１使用編針で形成された編目を、目移しするものと目移ししないものとに区分けし、目移ししないものについては、第１使用編針に残しつつ、目移しするものについては、対向位置にある第２不使用編針へ目移しする工程と、
（Ｂ３）上記（Ｂ２）の工程で第２不使用編針へ目移しされた編目を、目移しするものと目移ししないものとに区分けし、目移ししないものについては、第２不使用編針に残しつつ、目移しするものについては、目移しされる前の元の第１使用編針へ移し戻す工程と、
（Ｂ４）上記（Ｂ３）の工程で第２不使用編針に残された編目と、上記（Ｂ３）の工程で第１使用編針へ移し戻された編目とを接結する工程と、
（Ｂ５）上記（Ｂ３）の工程で編目が移し戻された各第１使用編針で順次編目を形成する工程と、
（Ｂ６）上記（Ｂ３）の工程で編目が残された各第２不使用編針で順次編目を形成する工程と、
（Ｂ７）上記（Ｂ５）の工程で第１使用編針に形成された編目を、対向位置にある第２不使用編針へ目移しする工程と、
（Ｂ８）上記（Ｂ２）の工程で編目が残された各第１使用編針で順次編目を形成する工程と、
（Ｂ９）上記（Ｂ８）の工程で第１使用編針に形成された編目と、上記（Ｂ５）の工程で第１使用編針に形成され上記（Ｂ７）の工程で対向位置にある第２不使用編針へ目移しされた編目とを接結する工程と、
（Ｂ１０）上記（Ｂ６）の工程で第２不使用編針に形成された編目と、上記（Ｂ５）の工程で第１使用編針に形成され上記（Ｂ７）の工程で対向位置にある第２不使用編針へ目移しされた編目とを、対向位置にある第１使用編針へ目移しする工程と、によって編成される層を含むことを特徴とする多層編地。
【請求項３】
対向配置された第１針床および第２針床を備えるとともに第１針床上の編針と第２針床上の編針との間で編目を目移し可能に形成された緯編機を使用して編成される多層編地であって、
第１針床上に並設されている多数の編針のうち、第１針床側の編地の編成に使用する編針を、第１使用編針とし、第１針床側の編地の編成には使用しない編針を、第１不使用編針とし、
第２針床上に並設されている多数の編針のうち、第２針床側の編地の編成に使用する編針を、第２使用編針とし、第２針床側の編地の編成には使用しない編針を、第２不使用編針とし、
ｎを、１以上の整数とし、
１本の第１使用編針とｎ本の第１不使用編針とが交互に繰り返されるように、第１針床上に並設されている多数の編針を、第１使用編針と第１不使用編針とに区分けし、
１本の第２使用編針とｎ本の第２不使用編針とが交互に繰り返されるように、かつ、第２使用編針が第１使用編針とは対向しないようずれた位置になるように、第２針床上に並設されている多数の編針を、第２使用編針と第２不使用編針とに区分けし、
（Ｃ１）各第１使用編針で順次編目を形成する工程と、
（Ｃ２）各第１使用編針で形成された編目を、目移しするものと目移ししないものとに区分けし、目移ししないものについては、第１使用編針に残しつつ、目移しするものについては、対向位置にある第２不使用編針へ目移しする工程と、
（Ｃ３）上記（Ｃ２）の工程で第１使用編針に残された編目を、目移しするものと目移ししないものとに区分けし、目移ししないものについては、第１使用編針に残しつつ、目移しするものについては、対向位置にある第２不使用編針へ目移しする工程と、
（Ｃ４）上記（Ｃ３）の工程で第１使用編針に残された編目と、上記（Ｃ３）の工程で第２不使用編針へ目移しされた編目とを接結する工程と、
（Ｃ５）上記（Ｃ３）の工程で編目が残された各第１使用編針で順次編目を形成する工程と、
（Ｃ６）上記（Ｃ３）の工程で編目が目移しされた各第２不使用編針で順次編目を形成する工程と、
（Ｃ７）上記（Ｃ６）の工程で第２不使用編針に形成された編目を、対向位置にある第１使用編針へ目移しする工程と、
（Ｃ８）上記（Ｃ２）の工程で第２不使用編針へ目移しされた編目を、目移しするものと目移ししないものとに区分けし、目移ししないものについては、第２不使用編針に残しつつ、目移しするものについては、目移しされる前の元の第１使用編針へ移し戻す工程と、
（Ｃ９）上記（Ｃ８）の工程で第２不使用編針に残された編目と、上記（Ｃ８）の工程で第１使用編針へ移し戻された編目とを接結する工程と、
（Ｃ１０）上記（Ｃ８）の工程で編目が移し戻された各第１使用編針で順次編目を形成する工程と、
（Ｃ１１）上記（Ｃ８）の工程で編目が残された各第２不使用編針で順次編目を形成する工程と、
（Ｃ１２）上記（Ｃ１０）の工程で第１使用編針に形成された編目を、対向位置にある第２不使用編針へ目移しする工程と、
（Ｃ１３）上記（Ｃ６）の工程で第２不使用編針に形成され上記（Ｃ７）の工程で対向位置にある第１使用編針へ目移しされた編目と、上記（Ｃ１０）の工程で第１使用編針に形成され上記（Ｃ１２）の工程で対向する第２不使用編針へ目移しされた編目とを接結する工程と、
（Ｃ１４）上記（Ｃ１１）の工程で第２不使用編針に形成された編目と、上記（Ｃ１０）の工程で第１使用編針に形成され上記（Ｃ１２）の工程で対向位置にある第２不使用編針へ目移しされた編目とを、対向位置にある第１使用編針へ目移しする工程と、によって編成される層を含むことを特徴とする多層編地。
【請求項４】
対向配置された第１針床および第２針床を備えるとともに第１針床上の編針と第２針床上の編針との間で編目を目移し可能に形成された緯編機を使用して多層編地を編成する方法であって、
第１針床上に並設されている多数の編針のうち、第１針床側の編地の編成に使用する編針を、第１使用編針とし、第１針床側の編地の編成には使用しない編針を、第１不使用編針とし、
第２針床上に並設されている多数の編針のうち、第２針床側の編地の編成に使用する編針を、第２使用編針とし、第２針床側の編地の編成には使用しない編針を、第２不使用編針とし、
ｎを、１以上の整数とし、
１本の第１使用編針とｎ本の第１不使用編針とが交互に繰り返されるように、第１針床上に並設されている多数の編針を、第１使用編針と第１不使用編針とに区分けし、
１本の第２使用編針とｎ本の第２不使用編針とが交互に繰り返されるように、かつ、第２使用編針が第１使用編針とは対向しないようずれた位置になるように、第２針床上に並設されている多数の編針を、第２使用編針と第２不使用編針とに区分けし、
（Ａ１）各第１使用編針で順次編目を形成する工程と、
（Ａ２）各第１使用編針で形成された編目を、目移しするものと目移ししないものとに区分けし、目移ししないものについては、第１使用編針に残しつつ、目移しするものについては、対向位置にある第２不使用編針へ目移しする工程と、
（Ａ３）上記（Ａ２）の工程で第１使用編針に残された編目と上記（Ａ２）の工程で第２不使用編針へ目移しされた編目とを接結する工程と、
（Ａ４）上記（Ａ２）の工程で編目が残された各第１使用編針で順次編目を形成する工程と、
（Ａ５）上記（Ａ２）の工程で編目が目移しされた各第２不使用編針で順次編目を形成する工程と、
（Ａ６）上記（Ａ２）の工程で第２不使用編針へ目移しされた編目を、目移しされる前の元の第１使用編針へ移し戻す工程と、を含むことを特徴とする多層編地の編成方法。
【請求項５】
対向配置された第１針床および第２針床を備えるとともに第１針床上の編針と第２針床上の編針との間で編目を目移し可能に形成された緯編機を使用して多層編地を編成する方法であって、
第１針床上に並設されている多数の編針のうち、第１針床側の編地の編成に使用する編針を、第１使用編針とし、第１針床側の編地の編成には使用しない編針を、第１不使用編針とし、
第２針床上に並設されている多数の編針のうち、第２針床側の編地の編成に使用する編針を、第２使用編針とし、第２針床側の編地の編成には使用しない編針を、第２不使用編針とし、
ｎを、１以上の整数とし、
１本の第１使用編針とｎ本の第１不使用編針とが交互に繰り返されるように、第１針床上に並設されている多数の編針を、第１使用編針と第１不使用編針とに区分けし、
１本の第２使用編針とｎ本の第２不使用編針とが交互に繰り返されるように、かつ、第２使用編針が第１使用編針とは対向しないようずれた位置になるように、第２針床上に並設されている多数の編針を、第２使用編針と第２不使用編針とに区分けし、
（Ｂ１）各第１使用編針で順次編目を形成する工程と、
（Ｂ２）各第１使用編針で形成された編目を、目移しするものと目移ししないものとに区分けし、目移ししないものについては、第１使用編針に残しつつ、目移しするものについては、対向位置にある第２不使用編針へ目移しする工程と、
（Ｂ３）上記（Ｂ２）の工程で第２不使用編針へ目移しされた編目を、目移しするものと目移ししないものとに区分けし、目移ししないものについては、第２不使用編針に残しつつ、目移しするものについては、目移しされる前の元の第１使用編針へ移し戻す工程と、
（Ｂ４）上記（Ｂ３）の工程で第２不使用編針に残された編目と、上記（Ｂ３）の工程で第１使用編針へ移し戻された編目とを接結する工程と、
（Ｂ５）上記（Ｂ３）の工程で編目が移し戻された各第１使用編針で順次編目を形成する工程と、
（Ｂ６）上記（Ｂ３）の工程で編目が残された各第２不使用編針で順次編目を形成する工程と、
（Ｂ７）上記（Ｂ５）の工程で第１使用編針に形成された編目を、対向位置にある第２不使用編針へ目移しする工程と、
（Ｂ８）上記（Ｂ２）の工程で編目が残された各第１使用編針で順次編目を形成する工程と、
（Ｂ９）上記（Ｂ８）の工程で第１使用編針に形成された編目と、上記（Ｂ５）の工程で第１使用編針に形成され上記（Ｂ７）の工程で対向位置にある第２不使用編針へ目移しされた編目とを接結する工程と、
（Ｂ１０）上記（Ｂ６）の工程で第２不使用編針に形成された編目と、上記（Ｂ５）の工程で第１使用編針に形成され上記（Ｂ７）の工程で対向位置にある第２不使用編針へ目移しされた編目とを、対向位置にある第１使用編針へ目移しする工程と、を含むことを特徴とする多層編地の編成方法。
【請求項６】
対向配置された第１針床および第２針床を備えるとともに第１針床上の編針と第２針床上の編針との間で編目を目移し可能に形成された緯編機を使用して多層編地を編成する方法であって、
第１針床上に並設されている多数の編針のうち、第１針床側の編地の編成に使用する編針を、第１使用編針とし、第１針床側の編地の編成には使用しない編針を、第１不使用編針とし、
第２針床上に並設されている多数の編針のうち、第２針床側の編地の編成に使用する編針を、第２使用編針とし、第２針床側の編地の編成には使用しない編針を、第２不使用編針とし、
ｎを、１以上の整数とし、
１本の第１使用編針とｎ本の第１不使用編針とが交互に繰り返されるように、第１針床上に並設されている多数の編針を、第１使用編針と第１不使用編針とに区分けし、
１本の第２使用編針とｎ本の第２不使用編針とが交互に繰り返されるように、かつ、第２使用編針が第１使用編針とは対向しないようずれた位置になるように、第２針床上に並設されている多数の編針を、第２使用編針と第２不使用編針とに区分けし、
（Ｃ１）各第１使用編針で順次編目を形成する工程と、
（Ｃ２）各第１使用編針で形成された編目を、目移しするものと目移ししないものとに区分けし、目移ししないものについては、第１使用編針に残しつつ、目移しするものについては、対向位置にある第２不使用編針へ目移しする工程と、
（Ｃ３）上記（Ｃ２）の工程で第１使用編針に残された編目を、目移しするものと目移ししないものとに区分けし、目移ししないものについては、第１使用編針に残しつつ、目移しするものについては、対向位置にある第２不使用編針へ目移しする工程と、
（Ｃ４）上記（Ｃ３）の工程で第１使用編針に残された編目と、上記（Ｃ３）の工程で第２不使用編針へ目移しされた編目とを接結する工程と、
（Ｃ５）上記（Ｃ３）の工程で編目が残された各第１使用編針で順次編目を形成する工程と、
（Ｃ６）上記（Ｃ３）の工程で編目が目移しされた各第２不使用編針で順次編目を形成する工程と、
（Ｃ７）上記（Ｃ６）の工程で第２不使用編針に形成された編目を、対向位置にある第１使用編針へ目移しする工程と、
（Ｃ８）上記（Ｃ２）の工程で第２不使用編針へ目移しされた編目を、目移しするものと目移ししないものとに区分けし、目移ししないものについては、第２不使用編針に残しつつ、目移しするものについては、目移しされる前の元の第１使用編針へ移し戻す工程と、
（Ｃ９）上記（Ｃ８）の工程で第２不使用編針に残された編目と、上記（Ｃ８）の工程で第１使用編針へ移し戻された編目とを接結する工程と、
（Ｃ１０）上記（Ｃ８）の工程で編目が移し戻された各第１使用編針で順次編目を形成する工程と、
（Ｃ１１）上記（Ｃ８）の工程で編目が残された各第２不使用編針で順次編目を形成する工程と、
（Ｃ１２）上記（Ｃ１０）の工程で第１使用編針に形成された編目を、対向位置にある第２不使用編針へ目移しする工程と、
（Ｃ１３）上記（Ｃ６）の工程で第２不使用編針に形成され上記（Ｃ７）の工程で対向位置にある第１使用編針へ目移しされた編目と、上記（Ｃ１０）の工程で第１使用編針に形成され上記（Ｃ１２）の工程で対向する第２不使用編針へ目移しされた編目とを接結する工程と、
（Ｃ１４）上記（Ｃ１１）の工程で第２不使用編針に形成された編目と、上記（Ｃ１０）の工程で第１使用編針に形成され上記（Ｃ１２）の工程で対向位置にある第２不使用編針へ目移しされた編目とを、対向位置にある第１使用編針へ目移しする工程と、を含むことを特徴とする多層編地の編成方法。
【発明の詳細な説明】
【技術分野】
【０００１】
本発明は、多層編地およびその編成方法に関し、さらに詳しくは、対向配置された第１針床および第２針床を備えるとともに第１針床上の編針と第２針床上の編針との間で編目を目移し可能に形成された緯編機を使用して編成される多層編地およびその編成方法に関するものである。
【背景技術】
【０００２】
表裏二枚の編地を接結した３層編地は、従来から用途別に広く提供されている。
また、３層編地の編成方法についても、経編機（たて編機）を使用するものや、丸編機を使用するもの、あるいは横編機を使用するものなど、従来から種々知られている。
なお、下記の特許文献１には、表裏の地組織を結接糸でタックした３層構造編地において、結接糸が地組織から飛び出してスナッギングが起こるのを防止するため、両地組織が非弾性糸と２５０％以上の破断伸度を有する弾性糸とで構成されている３層編地が開示されている。
また、下記の特許文献２には、伸縮性を有するうえに優れたクッション性および圧縮回復性、保温性、通気性、形態安定性を具備し、繰り返し荷重に対する耐ヘタリが大きく、ソフト感、審美性に優れた張りのある立体構造編地を提供するため、表裏両面の編地が、伸縮性糸を含有するとともに、表裏両面の編地を接合する糸条がポリエステルエラストマー糸を含有する立体構造編地が開示されている。
【０００３】
また、下記の特許文献３には、意匠性に優れ、弾力性のあるクッション性を有し、繰り返し或いは長時間使用しても弾力性が損なわれにくく、クッション性の耐久性に優れた立体横編物を提供するため、表裏二層の横編地がモノフィラメント糸により連結され、表裏の編地の少なくとも一方の編地表面が選針による柄及び／又は色糸切り替えによる柄を有している立体横編物が開示されている。
【特許文献１】特開平０６−１５８４８３号公報
【特許文献２】特開２００２−０６９８０５号公報
【特許文献３】特開２００４−１０７８００号公報
【発明の開示】
【発明が解決しようとする課題】
【０００４】
ところで、介護福祉分野などでは、体位変換や体圧分散を目的として、種々のクッション類が用いられている。具体的には、例えば、袋状カバーの中に、充填剤として、天然または合成繊維の綿、あるいはウレタンフォームやゲルなどを充填したものなどが用いられている。また、最近では、軽量化のために、充填剤として、合成樹脂の中空ビーズや発泡ビーズなどを充填したものも用いられている。
しかし、袋状カバーの中に充填剤を充填したクッションでは、使用時に充填剤が偏ってしまうことがあり、これによりクッション性が低下してしまうという問題がある。
ここで、充填剤が偏るという問題が生じることなくクッション性を有する素材として、３層編地があるが、従来の３層編地では、厚みが大きいものでも１０ｍｍ程度しかなく、介護福祉分野などで必要十分なクッション性を発揮し得なかった。
【０００５】
また、サポーターでも痛みの軽減のため小さな空気パッドを入れるためのポケットを部分的に縫付けてクッション性を持たせるといった工夫を施したものが見られるが、そのための縫製工程や空気パッド交換が必要であるといった手間も挙げられる。
そこで、本発明は、従来の３層編地よりも大きな厚みを有し、従来の３層編地よりも大きなクッション性を発揮する多層編地、およびこのような多層編地を、縫製や接着により複数の編地を一体化して作成するのではなく、一対の針床を備えた緯編機を使用して編成する方法を提供することを目的とする。
【課題を解決するための手段】
【０００６】
（第１の発明）
第１の発明は、対向配置された第１針床および第２針床を備えるとともに第１針床上の編針と第２針床上の編針との間で編目を目移し可能に形成された緯編機を使用して編成される多層編地であって、第１針床上に並設されている多数の編針のうち、第１針床側の編地の編成に使用する編針を、第１使用編針とし、第１針床側の編地の編成には使用しない編針を、第１不使用編針とし、第２針床上に並設されている多数の編針のうち、第２針床側の編地の編成に使用する編針を、第２使用編針とし、第２針床側の編地の編成には使用しない編針を、第２不使用編針とし、ｎを、１以上の整数とし、１本の第１使用編針とｎ本の第１不使用編針とが交互に繰り返されるように、第１針床上に並設されている多数の編針を、第１使用編針と第１不使用編針とに区分けし、１本の第２使用編針とｎ本の第２不使用編針とが交互に繰り返されるように、かつ、第２使用編針が第１使用編針とは対向しないようずれた位置になるように、第２針床上に並設されている多数の編針を、第２使用編針と第２不使用編針とに区分けし、（Ａ１）各第１使用編針で順次編目を形成する工程と、（Ａ２）各第１使用編針で形成された編目を、目移しするものと目移ししないものとに区分けし、目移ししないものについては、第１使用編針に残しつつ、目移しするものについては、対向位置にある第２不使用編針へ目移しする工程と、（Ａ３）上記（Ａ２）の工程で第１使用編針に残された編目と上記（Ａ２）の工程で第２不使用編針へ目移しされた編目とを接結する工程と、（Ａ４）上記（Ａ２）の工程で編目が残された各第１使用編針で順次編目を形成する工程と、（Ａ５）上記（Ａ２）の工程で編目が目移しされた各第２不使用編針で順次編目を形成する工程と、（Ａ６）上記（Ａ２）の工程で第２不使用編針へ目移しされた編目を、目移しされる前の元の第１使用編針へ移し戻す工程と、によって編成される層を含むことを特徴とする。
【０００７】
ここで、「緯編機」とは、「横編機」および「丸編機」の双方を含む概念である。つまり、本発明では、「横編機」と「丸編機」とを併せて、「緯編機」としている。近年、丸編機でも、横編機と同様に、ニット、タック、ミスおよび対向配置された針床間で目移しの針動作が可能な新機種が近年開発されており、本発明は、横編機のみならず、このような丸編機にも適用可能なものである。
また、「対向配置された第１針床および第２針床」とは、例えば、横編機の場合にあっては、前針床および後針床をいい、また、丸編機の場合にあっては、筒状針床および円盤状針床をいう。また、横編機の場合にあっては、前針床を第１針床とし、後針床を第２針床としてもよく、逆に、前針床を第２針床とし、後針床を第１針床としてもよい。また、丸編機の場合にあっては、筒状針床を第１針床とし、円盤状針床を第２針床としてもよく、逆に、円盤状針床を第１針床とし、筒状針床を第２針床としてもよい。
【０００８】
また、「第１使用編針」とは、第１針床上に並設されている多数の編針のうち、第１針床側の編地の編成に使用する編針を意味するものである。
また、「第１不使用編針」とは、第１針床上に並設されている多数の編針のうち、第１針床側の編地の編成には使用しない編針を意味するものである。
また、「第２使用編針」とは、第２針床上に並設されている多数の編針のうち、第２針床側の編地の編成に使用する編針を意味するものである。
また、「第２不使用編針」とは、第２針床上に並設されている多数の編針のうち、第２針床側の編地の編成には使用しない編針を意味するものである。
【０００９】
また、「ｎ」は、１以上の整数を意味するものである。
また、第１針床上に並設されている多数の編針は、１本の第１使用編針とｎ本の第１不使用編針とが交互に繰り返されるように、第１使用編針と第１不使用編針とに区分けされる。
また、第２針床上に並設されている多数の編針は、１本の第２使用編針とｎ本の第２不使用編針とが交互に繰り返されるように、かつ、第２使用編針が第１使用編針とは対向しないようずれた位置になるように、第２使用編針と第２不使用編針とに区分けされる。
また、第２使用編針が第１使用編針とは対向しないようずれた位置になるように配置されることから、第１使用編針は、第２不使用編針と対向することとなり、また、第２使用編針は、第１不使用編針と対向することとなる。
【００１０】
また、（Ａ１）の工程は、各第１使用編針で順次編目を形成する、というものである。（Ａ１）の工程では、例えば、編幅のいずれか一方側から他方側へ向けて、各第１使用編針で順次編目を形成する、ようにすることができる。
また、（Ａ２）の工程は、各第１使用編針で形成された編目を、目移しするものと目移ししないものとに区分けし、目移ししないものについては、第１使用編針に残しつつ、目移しするものについては、対向位置にある第２不使用編針へ目移しする、というものである。（Ａ２）の工程では、例えば、各第１使用編針で形成された編目のうち、編幅のいずれか一方側から奇数番目にあるものを、第１使用編針に残しつつ、同偶数番目にあるものを、対向位置にある第２不使用編針へ目移しする、ようにすることができる。この場合、各第１使用編針で形成された編目が、編幅のいずれか一方側から偶数番目にあるものと奇数番目にあるものとに区分けされ、奇数番目にある編目が、目移ししないものとされ、偶数番目にある編目が、目移しするものとされるものである。
【００１１】
また、（Ａ３）の工程は、上記（Ａ２）の工程で第１使用編針に残された編目と上記（Ａ２）の工程で第２不使用編針へ目移しされた編目とを接結する、というものである。（Ａ３）の工程では、例えば、編幅のいずれか一方側から他方側へ向けて、第１使用編針に残された編目と第２不使用編針へ目移しされた編目とを交互に接結する、ようにすることができる。また、「接結」は、タックにより行ってもよく、また、ニットにより行ってもよい。以下、接結については同様である。
また、（Ａ４）の工程は、上記（Ａ２）の工程で編目が残された各第１使用編針で順次編目を形成する、というものである。（Ａ４）の工程では、例えば、編幅のいずれか一方側から他方側へ向けて、編目が残された各第１使用編針で順次編目を形成する、ようにすることができる。
【００１２】
また、（Ａ５）の工程は、上記（Ａ２）の工程で編目が目移しされた各第２不使用編針で順次編目を形成する、というものである。（Ａ５）の工程では、例えば、編幅のいずれか一方側から他方側へ向けて、編目が目移しされた各第２不使用編針で順次編目を形成する、ようにすることができる。
また、（Ａ６）の工程は、上記（Ａ２）の工程で第２不使用編針へ目移しされた編目を、目移しされる前の元の第１使用編針へ移し戻す、というものである。
そして、第１の発明に係る多層編地は、上記（Ａ１）〜（Ａ６）の工程で編成される層を含むものである。
【００１３】
つまり、第１の発明に係る多層編地は、第１針床上に形成された３層編地を含むものである。
このため、例えば、第２針床上に、１層編地を形成して、第１針床上の３層編地と第２針床上の１層編地とを接結すれば、５層編地とすることができる。
また、例えば、第２針床上に、上記（Ａ１）〜（Ａ６）と同様の工程で、３層編地を形成して、第１針床上の３層編地と第２針床上の３層編地とを接結すれば、７層編地とすることができる。
つまり、第１の発明によれば、５層編地や７層編地など、３層より多くの層を有する多層編地を提供することができる。
【００１４】
（第２の発明）
第２の発明は、対向配置された第１針床および第２針床を備えるとともに第１針床上の編針と第２針床上の編針との間で編目を目移し可能に形成された緯編機を使用して編成される多層編地であって、第１針床上に並設されている多数の編針のうち、第１針床側の編地の編成に使用する編針を、第１使用編針とし、第１針床側の編地の編成には使用しない編針を、第１不使用編針とし、第２針床上に並設されている多数の編針のうち、第２針床側の編地の編成に使用する編針を、第２使用編針とし、第２針床側の編地の編成には使用しない編針を、第２不使用編針とし、ｎを、１以上の整数とし、１本の第１使用編針とｎ本の第１不使用編針とが交互に繰り返されるように、第１針床上に並設されている多数の編針を、第１使用編針と第１不使用編針とに区分けし、１本の第２使用編針とｎ本の第２不使用編針とが交互に繰り返されるように、かつ、第２使用編針が第１使用編針とは対向しないようずれた位置になるように、第２針床上に並設されている多数の編針を、第２使用編針と第２不使用編針とに区分けし、（Ｂ１）各第１使用編針で順次編目を形成する工程と、（Ｂ２）各第１使用編針で形成された編目を、目移しするものと目移ししないものとに区分けし、目移ししないものについては、第１使用編針に残しつつ、目移しするものについては、対向位置にある第２不使用編針へ目移しする工程と、（Ｂ３）上記（Ｂ２）の工程で第２不使用編針へ目移しされた編目を、目移しするものと目移ししないものとに区分けし、目移ししないものについては、第２不使用編針に残しつつ、目移しするものについては、目移しされる前の元の第１使用編針へ移し戻す工程と、（Ｂ４）上記（Ｂ３）の工程で第２不使用編針に残された編目と、上記（Ｂ３）の工程で第１使用編針へ移し戻された編目とを接結する工程と、（Ｂ５）上記（Ｂ３）の工程で編目が移し戻された各第１使用編針で順次編目を形成する工程と、（Ｂ６）上記（Ｂ３）の工程で編目が残された各第２不使用編針で順次編目を形成する工程と、（Ｂ７）上記（Ｂ５）の工程で第１使用編針に形成された編目を、対向位置にある第２不使用編針へ目移しする工程と、（Ｂ８）上記（Ｂ２）の工程で編目が残された各第１使用編針で順次編目を形成する工程と、（Ｂ９）上記（Ｂ８）の工程で第１使用編針に形成された編目と、上記（Ｂ５）の工程で第１使用編針に形成され上記（Ｂ７）の工程で対向位置にある第２不使用編針へ目移しされた編目とを接結する工程と、（Ｂ１０）上記（Ｂ６）の工程で第２不使用編針に形成された編目と、上記（Ｂ５）の工程で第１使用編針に形成され上記（Ｂ７）の工程で対向位置にある第２不使用編針へ目移しされた編目とを、対向位置にある第１使用編針へ目移しする工程と、によって編成される層を含むことを特徴とする。
【００１５】
ここで、（Ｂ１）の工程は、各第１使用編針で順次編目を形成する、というものである。（Ｂ１）の工程では、例えば、編幅のいずれか一方側から他方側へ向けて、各第１使用編針で順次編目を形成する、ようにすることができる。
また、（Ｂ２）の工程は、各第１使用編針で形成された編目を、目移しするものと目移ししないものとに区分けし、目移ししないものについては、第１使用編針に残しつつ、目移しするものについては、対向位置にある第２不使用編針へ目移しする、というものである。（Ｂ２）の工程では、例えば、各第１使用編針で形成された編目のうち、編幅のいずれか一方側から奇数番目にあるものを、第１使用編針に残しつつ、同偶数番目にあるものを、対向位置にある第２不使用編針へ目移しする、ようにすることができる。
【００１６】
また、（Ｂ３）の工程は、上記（Ｂ２）の工程で第２不使用編針へ目移しされた編目を、目移しするものと目移ししないものとに区分けし、目移ししないものについては、第２不使用編針に残しつつ、目移しするものについては、目移しされる前の元の第１使用編針へ移し戻す、というものである。（Ｂ３）の工程では、例えば、上記（Ｂ２）の工程で第２不使用編針へ目移しされた編目のうち、編幅のいずれか一方側から奇数番目にあるものを、第２不使用編針に残しつつ、同偶数番目にあるものを、目移しされる前の元の第１使用編針へ移し戻す、ようにすることができる。
また、（Ｂ４）の工程は、上記（Ｂ３）の工程で第２不使用編針に残された編目と、上記（Ｂ３）の工程で第１使用編針へ移し戻された編目とを接結する、というものである。（Ｂ４）の工程では、例えば、編幅のいずれか一方側から他方側へ向けて、上記（Ｂ３）の工程で第２不使用編針に残された編目と、上記（Ｂ３）の工程で第１使用編針へ移し戻された編目とを交互に接結する、ようにすることができる。
【００１７】
また、（Ｂ５）の工程は、上記（Ｂ３）の工程で編目が移し戻された各第１使用編針で順次編目を形成する、というものである。（Ｂ５）の工程では、例えば、編幅のいずれか一方側から他方側へ向けて、上記（Ｂ３）の工程で編目が移し戻された各第１使用編針で順次編目を形成する、ようにすることができる。
また、（Ｂ６）の工程は、上記（Ｂ３）の工程で編目が残された各第２不使用編針で順次編目を形成する、というものである。（Ｂ６）の工程では、編幅のいずれか一方側から他方側へ向けて、上記（Ｂ３）の工程で編目が残された各第２不使用編針で順次編目を形成する、ようにすることができる。
【００１８】
また、（Ｂ７）の工程は、上記（Ｂ５）の工程で第１使用編針に形成された編目を、対向位置にある第２不使用編針へ目移しする、というものである。
また、（Ｂ８）の工程は、上記（Ｂ２）の工程で編目が残された各第１使用編針で順次編目を形成する、というものである。（Ｂ８）の工程では、例えば、編幅のいずれか一方側から他方側へ向けて、上記（Ｂ２）の工程で編目が残された各第１使用編針で順次編目を形成する、ようにすることができる。
また、（Ｂ９）の工程は、上記（Ｂ８）の工程で第１使用編針に形成された編目と、上記（Ｂ５）の工程で第１使用編針に形成され上記（Ｂ７）の工程で対向位置にある第２不使用編針へ目移しされた編目とを接結する、というものである。（Ｂ９）の工程では、例えば、編幅のいずれか一方側から他方側へ向けて、上記（Ｂ８）の工程で第１使用編針に形成された編目のうち編幅のいずれか一方側から偶数番目または奇数番目にあるものと、上記（Ｂ５）の工程で第１使用編針に形成され上記（Ｂ７）の工程で対向位置にある第２不使用編針へ目移しされた編目とを交互に接結する、ようにすることができる。
【００１９】
また、（Ｂ１０）の工程は、上記（Ｂ６）の工程で第２不使用編針に形成された編目と、上記（Ｂ５）の工程で第１使用編針に形成され上記（Ｂ７）の工程で対向位置にある第２不使用編針へ目移しされた編目とを、対向位置にある第１使用編針へ目移しする、というものである。
そして、第２の発明に係る多層編地は、上記（Ｂ１）〜（Ｂ１０）の工程で編成される層を含むものである。
つまり、第２の発明に係る多層編地は、第１針床上に形成された５層編地を含むものである。
【００２０】
このため、例えば、第２針床上に、１層編地を形成して、第１針床上の５層編地と第２針床上の１層編地とを接結すれば、７層編地とすることができる。
また、例えば、第２針床上に、第１の発明の（Ａ１）〜（Ａ６）と同様の工程で、３層編地を形成して、第１針床上の５層編地と第２針床上の３層編地とを接結すれば、９層編地とすることができる。
また、例えば、第２針床上に、上記（Ｂ１）〜（Ｂ１０）と同様の工程で、５層編地を形成して、第１針床上の５層編地と第２針床上の５層編地とを接結すれば、１１層編地とすることができる。
【００２１】
つまり、第２の発明によれば、７層編地や９層編地や１１層編地など、５層より多くの層を有する多層編地を提供することができる。
（第３の発明）
第３の発明は、対向配置された第１針床および第２針床を備えるとともに第１針床上の編針と第２針床上の編針との間で編目を目移し可能に形成された緯編機を使用して編成される多層編地であって、第１針床上に並設されている多数の編針のうち、第１針床側の編地の編成に使用する編針を、第１使用編針とし、第１針床側の編地の編成には使用しない編針を、第１不使用編針とし、第２針床上に並設されている多数の編針のうち、第２針床側の編地の編成に使用する編針を、第２使用編針とし、第２針床側の編地の編成には使用しない編針を、第２不使用編針とし、ｎを、１以上の整数とし、１本の第１使用編針とｎ本の第１不使用編針とが交互に繰り返されるように、第１針床上に並設されている多数の編針を、第１使用編針と第１不使用編針とに区分けし、１本の第２使用編針とｎ本の第２不使用編針とが交互に繰り返されるように、かつ、第２使用編針が第１使用編針とは対向しないようずれた位置になるように、第２針床上に並設されている多数の編針を、第２使用編針と第２不使用編針とに区分けし、（Ｃ１）各第１使用編針で順次編目を形成する工程と、（Ｃ２）各第１使用編針で形成された編目を、目移しするものと目移ししないものとに区分けし、目移ししないものについては、第１使用編針に残しつつ、目移しするものについては、対向位置にある第２不使用編針へ目移しする工程と、（Ｃ３）上記（Ｃ２）の工程で第１使用編針に残された編目を、目移しするものと目移ししないものとに区分けし、目移ししないものについては、第１使用編針に残しつつ、目移しするものについては、対向位置にある第２不使用編針へ目移しする工程と、（Ｃ４）上記（Ｃ３）の工程で第１使用編針に残された編目と、上記（Ｃ３）の工程で第２不使用編針へ目移しされた編目とを接結する工程と、（Ｃ５）上記（Ｃ３）の工程で編目が残された各第１使用編針で順次編目を形成する工程と、（Ｃ６）上記（Ｃ３）の工程で編目が目移しされた各第２不使用編針で順次編目を形成する工程と、（Ｃ７）上記（Ｃ６）の工程で第２不使用編針に形成された編目を、対向位置にある第１使用編針へ目移しする工程と、（Ｃ８）上記（Ｃ２）の工程で第２不使用編針へ目移しされた編目を、目移しするものと目移ししないものとに区分けし、目移ししないものについては、第２不使用編針に残しつつ、目移しするものについては、目移しされる前の元の第１使用編針へ移し戻す工程と、（Ｃ９）上記（Ｃ８）の工程で第２不使用編針に残された編目と、上記（Ｃ８）の工程で第１使用編針へ移し戻された編目とを接結する工程と、（Ｃ１０）上記（Ｃ８）の工程で編目が移し戻された各第１使用編針で順次編目を形成する工程と、（Ｃ１１）上記（Ｃ８）の工程で編目が残された各第２不使用編針で順次編目を形成する工程と、（Ｃ１２）上記（Ｃ１０）の工程で第１使用編針に形成された編目を、対向位置にある第２不使用編針へ目移しする工程と、（Ｃ１３）上記（Ｃ６）の工程で第２不使用編針に形成され上記（Ｃ７）の工程で対向位置にある第１使用編針へ目移しされた編目と、上記（Ｃ１０）の工程で第１使用編針に形成され上記（Ｃ１２）の工程で対向する第２不使用編針へ目移しされた編目とを接結する工程と、（Ｃ１４）上記（Ｃ１１）の工程で第２不使用編針に形成された編目と、上記（Ｃ１０）の工程で第１使用編針に形成され上記（Ｃ１２）の工程で対向位置にある第２不使用編針へ目移しされた編目とを、対向位置にある第１使用編針へ目移しする工程と、によって編成される層を含むことを特徴とする。
【００２２】
ここで、（Ｃ１）の工程は、各第１使用編針で順次編目を形成する、というものである。（Ｃ１）の工程では、例えば、編幅のいずれか一方側から他方側へ向けて、各第１使用編針で順次編目を形成する、ようにすることができる。
また、（Ｃ２）の工程は、各第１使用編針で形成された編目を、目移しするものと目移ししないものとに区分けし、目移ししないものについては、第１使用編針に残しつつ、目移しするものについては、対向位置にある第２不使用編針へ目移しする、というものである。（Ｃ２）の工程では、例えば、各第１使用編針で形成された編目のうち、編幅のいずれか一方側から奇数番目にあるものを、第１使用編針に残しつつ、同偶数番目にあるものを、対向位置にある第２不使用編針へ目移しする、ようにすることができる。
【００２３】
また、（Ｃ３）の工程は、上記（Ｃ２）の工程で第１使用編針に残された編目を、目移しするものと目移ししないものとに区分けし、目移ししないものについては、第１使用編針に残しつつ、目移しするものについては、対向位置にある第２不使用編針へ目移しする、というものである。（Ｃ３）の工程では、例えば、上記（Ｃ２）の工程で第１使用編針に残された編目のうち、編幅のいずれか一方側から奇数番目にあるものを、第１使用編針に残しつつ、同偶数番目にあるものを、対向位置にある第２不使用編針へ目移しする、ようにすることができる。
また、（Ｃ４）の工程は、上記（Ｃ３）の工程で第１使用編針に残された編目と、上記（Ｃ３）の工程で第２不使用編針へ目移しされた編目とを接結する、というものである。（Ｃ４）の工程では、例えば、編幅のいずれか一方側から他方側へ向けて、上記（Ｃ３）の工程で第１使用編針に残された編目と、上記（Ｃ３）の工程で第２不使用編針へ目移しされた編目とを交互に接結する、ようにすることができる。
【００２４】
また、（Ｃ５）の工程は、上記（Ｃ３）の工程で編目が残された各第１使用編針で順次編目を形成する、というものである。（Ｃ５）の工程では、例えば、編幅のいずれか一方側から他方側へ向けて、上記（Ｃ３）の工程で編目が残された各第１使用編針で順次編目を形成する、ようにすることができる。
また、（Ｃ６）の工程は、上記（Ｃ３）の工程で編目が目移しされた各第２不使用編針で順次編目を形成する、というものである。（Ｃ６）の工程では、例えば、編幅のいずれか一方側から他方側へ向けて、上記（Ｃ３）の工程で編目が目移しされた各第２不使用編針で順次編目を形成する、ようにすることができる。
【００２５】
また、（Ｃ７）の工程は、上記（Ｃ６）の工程で第２不使用編針に形成された編目を、対向位置にある第１使用編針へ目移しする、というものである。
また、（Ｃ８）の工程は、上記（Ｃ２）の工程で第２不使用編針へ目移しされた編目を、目移しするものと目移ししないものとに区分けし、目移ししないものについては、第２不使用編針に残しつつ、目移しするものについては、目移しされる前の元の第１使用編針へ移し戻す、というものである。（Ｃ８）の工程では、例えば、上記（Ｃ２）の工程で第２不使用編針へ目移しされた編目のうち、編幅のいずれか一方側から奇数番目にあるものを、第２不使用編針に残しつつ、同偶数番目にあるものを、目移しされる前の元の第１使用編針へ移し戻す、ようにすることができる。
【００２６】
また、（Ｃ９）の工程は、上記（Ｃ８）の工程で第２不使用編針に残された編目と、上記（Ｃ８）の工程で第１使用編針へ移し戻された編目とを接結する、というものである。（Ｃ９）の工程では、例えば、編幅のいずれか一方側から他方側へ向けて、上記（Ｃ８）の工程で第２不使用編針に残された編目と、上記（Ｃ８）の工程で第１使用編針へ移し戻された編目とを交互に接結する、ようにすることができる。
また、（Ｃ１０）の工程は、上記（Ｃ８）の工程で編目が移し戻された各第１使用編針で順次編目を形成する、というものである。（Ｃ１０）の工程では、例えば、編幅のいずれか一方側から他方側へ向けて、上記（Ｃ８）の工程で編目が移し戻された各第１使用編針で順次編目を形成する、ようにすることができる。
【００２７】
また、（Ｃ１１）の工程は、上記（Ｃ８）の工程で編目が残された各第２不使用編針で順次編目を形成する、というものである。（Ｃ１１）の工程では、例えば、編幅のいずれか一方側から他方側へ向けて、上記（Ｃ８）の工程で編目が残された各第２不使用編針で順次編目を形成する、ようにすることができる。
また、（Ｃ１２）の工程は、上記（Ｃ１０）の工程で第１使用編針に形成された編目を、対向位置にある第２不使用編針へ目移しする、というものである。
また、（Ｃ１３）の工程は、上記（Ｃ６）の工程で第２不使用編針に形成され上記（Ｃ７）の工程で対向位置にある第１使用編針へ目移しされた編目と、上記（Ｃ１０）の工程で第１使用編針に形成され上記（Ｃ１２）の工程で対向する第２不使用編針へ目移しされた編目とを接結する、というものである。（Ｃ１３）の工程では、例えば、編幅のいずれか一方側から他方側へ向けて、上記（Ｃ６）の工程で第２不使用編針に形成され上記（Ｃ７）の工程で対向位置にある第１使用編針へ目移しされた編目と、上記（Ｃ１０）の工程で第１使用編針に形成され上記（Ｃ１２）の工程で対向する第２不使用編針へ目移しされた編目とを交互に接結する、ようにすることができる。
【００２８】
また、（Ｃ１４）の工程は、上記（Ｃ１１）の工程で第２不使用編針に形成された編目と、上記（Ｃ１０）の工程で第１使用編針に形成され上記（Ｃ１２）の工程で対向位置にある第２不使用編針へ目移しされた編目とを、対向位置にある第１使用編針へ目移しする、というものである。
そして、第３の発明に係る多層編地は、上記（Ｃ１）〜（Ｃ１４）の工程で編成される層を含むものである。
つまり、第３の発明に係る多層編地は、第１針床上に形成された７層編地を含むものである。
【００２９】
このため、例えば、第２針床上に、１層編地を形成して、第１針床上の７層編地と第２針床上の１層編地とを接結すれば、９層編地とすることができる。
また、例えば、第２針床上に、第１の発明の（Ａ１）〜（Ａ６）と同様の工程で、３層編地を形成して、第１針床上の７層編地と第２針床上の３層編地とを接結すれば、１１層編地とすることができる。
また、例えば、第２針床上に、第２の発明の（Ｂ１）〜（Ｂ１０）と同様の工程で、５層編地を形成して、第１針床上の７層編地と第２針床上の５層編地とを接結すれば、１３層編地とすることができる。
【００３０】
また、例えば、第２針床上に、上記（Ｃ１）〜（Ｃ１４）と同様の工程で、７層編地を形成して、第１針床上の７層編地と第２針床上の７層編地とを接結すれば、１５層編地とすることができる。
つまり、第３の発明によれば、９層編地や１１層編地や１３層編地や１５層編地など、７層より多くの層を有する多層編地を提供することができる。
（第４の発明）
第４の発明は、対向配置された第１針床および第２針床を備えるとともに第１針床上の編針と第２針床上の編針との間で編目を目移し可能に形成された緯編機を使用して多層編地を編成する方法であって、第１針床上に並設されている多数の編針のうち、第１針床側の編地の編成に使用する編針を、第１使用編針とし、第１針床側の編地の編成には使用しない編針を、第１不使用編針とし、第２針床上に並設されている多数の編針のうち、第２針床側の編地の編成に使用する編針を、第２使用編針とし、第２針床側の編地の編成には使用しない編針を、第２不使用編針とし、ｎを、１以上の整数とし、１本の第１使用編針とｎ本の第１不使用編針とが交互に繰り返されるように、第１針床上に並設されている多数の編針を、第１使用編針と第１不使用編針とに区分けし、１本の第２使用編針とｎ本の第２不使用編針とが交互に繰り返されるように、かつ、第２使用編針が第１使用編針とは対向しないようずれた位置になるように、第２針床上に並設されている多数の編針を、第２使用編針と第２不使用編針とに区分けし、（Ａ１）各第１使用編針で順次編目を形成する工程と、（Ａ２）各第１使用編針で形成された編目を、目移しするものと目移ししないものとに区分けし、目移ししないものについては、第１使用編針に残しつつ、目移しするものについては、対向位置にある第２不使用編針へ目移しする工程と、（Ａ３）上記（Ａ２）の工程で第１使用編針に残された編目と上記（Ａ２）の工程で第２不使用編針へ目移しされた編目とを接結する工程と、（Ａ４）上記（Ａ２）の工程で編目が残された各第１使用編針で順次編目を形成する工程と、（Ａ５）上記（Ａ２）の工程で編目が目移しされた各第２不使用編針で順次編目を形成する工程と、（Ａ６）上記（Ａ２）の工程で第２不使用編針へ目移しされた編目を、目移しされる前の元の第１使用編針へ移し戻す工程と、を含むことを特徴とする。
【００３１】
つまり、第４の発明は、上記（Ａ１）〜（Ａ６）の工程を含むものであり、第１の発明に係る多層編地の編成方法である。
第４の発明によれば、上記（Ａ１）〜（Ａ６）の工程によって、第１針床上に、３層編地を形成することができる。
このため、例えば、第２針床上に、１層編地を形成して、第１針床上の３層編地と第２針床上の１層編地とを接結すれば、５層編地を形成することができる。
また、例えば、第２針床上に、上記（Ａ１）〜（Ａ６）と同様の工程で、３層編地を形成して、第１針床上の３層編地と第２針床上の３層編地とを接結すれば、７層編地を形成することができる。
【００３２】
つまり、第４の発明によれば、５層編地や７層編地など、３層より多くの層を有する多層編地を、緯編機で編成する方法を提供することができる。
（第５の発明）
第５の発明は、対向配置された第１針床および第２針床を備えるとともに第１針床上の編針と第２針床上の編針との間で編目を目移し可能に形成された緯編機を使用して多層編地を編成する方法であって、第１針床上に並設されている多数の編針のうち、第１針床側の編地の編成に使用する編針を、第１使用編針とし、第１針床側の編地の編成には使用しない編針を、第１不使用編針とし、第２針床上に並設されている多数の編針のうち、第２針床側の編地の編成に使用する編針を、第２使用編針とし、第２針床側の編地の編成には使用しない編針を、第２不使用編針とし、ｎを、１以上の整数とし、１本の第１使用編針とｎ本の第１不使用編針とが交互に繰り返されるように、第１針床上に並設されている多数の編針を、第１使用編針と第１不使用編針とに区分けし、１本の第２使用編針とｎ本の第２不使用編針とが交互に繰り返されるように、かつ、第２使用編針が第１使用編針とは対向しないようずれた位置になるように、第２針床上に並設されている多数の編針を、第２使用編針と第２不使用編針とに区分けし、（Ｂ１）各第１使用編針で順次編目を形成する工程と、（Ｂ２）各第１使用編針で形成された編目を、目移しするものと目移ししないものとに区分けし、目移ししないものについては、第１使用編針に残しつつ、目移しするものについては、対向位置にある第２不使用編針へ目移しする工程と、（Ｂ３）上記（Ｂ２）の工程で第２不使用編針へ目移しされた編目を、目移しするものと目移ししないものとに区分けし、目移ししないものについては、第２不使用編針に残しつつ、目移しするものについては、目移しされる前の元の第１使用編針へ移し戻す工程と、（Ｂ４）上記（Ｂ３）の工程で第２不使用編針に残された編目と、上記（Ｂ３）の工程で第１使用編針へ移し戻された編目とを接結する工程と、（Ｂ５）上記（Ｂ３）の工程で編目が移し戻された各第１使用編針で順次編目を形成する工程と、（Ｂ６）上記（Ｂ３）の工程で編目が残された各第２不使用編針で順次編目を形成する工程と、（Ｂ７）上記（Ｂ５）の工程で第１使用編針に形成された編目を、対向位置にある第２不使用編針へ目移しする工程と、（Ｂ８）上記（Ｂ２）の工程で編目が残された各第１使用編針で順次編目を形成する工程と、（Ｂ９）上記（Ｂ８）の工程で第１使用編針に形成された編目と、上記（Ｂ５）の工程で第１使用編針に形成され上記（Ｂ７）の工程で対向位置にある第２不使用編針へ目移しされた編目とを接結する工程と、（Ｂ１０）上記（Ｂ６）の工程で第２不使用編針に形成された編目と、上記（Ｂ５）の工程で第１使用編針に形成され上記（Ｂ７）の工程で対向位置にある第２不使用編針へ目移しされた編目とを、対向位置にある第１使用編針へ目移しする工程と、を含むことを特徴とする。
【００３３】
つまり、第５の発明は、上記（Ｂ１）〜（Ｂ１０）の工程を含むものであり、第２の発明に係る多層編地の編成方法である。
第５の発明によれば、上記（Ｂ１）〜（Ｂ１０）の工程によって、第１針床上に、５層編地を形成することができる。
このため、例えば、第２針床上に、１層編地を形成して、第１針床上の５層編地と第２針床上の１層編地とを接結すれば、７層編地を形成することができる。
また、例えば、第２針床上に、第４の発明の（Ａ１）〜（Ａ６）と同様の工程で、３層編地を形成して、第１針床上の５層編地と第２針床上の３層編地とを接結すれば、９層編地を形成することができる。
【００３４】
また、例えば、第２針床上に、上記（Ｂ１）〜（Ｂ１０）と同様の工程で、５層編地を形成して、第１針床上の５層編地と第２針床上の５層編地とを接結すれば、１１層編地を形成することができる。
つまり、第５の発明によれば、７層編地や９層編地や１１層編地など、５層より多くの層を有する多層編地を、緯編機で編成する方法を提供することができる。
（第６の発明）
第６の発明は、対向配置された第１針床および第２針床を備えるとともに第１針床上の編針と第２針床上の編針との間で編目を目移し可能に形成された緯編機を使用して多層編地を編成する方法であって、第１針床上に並設されている多数の編針のうち、第１針床側の編地の編成に使用する編針を、第１使用編針とし、第１針床側の編地の編成には使用しない編針を、第１不使用編針とし、第２針床上に並設されている多数の編針のうち、第２針床側の編地の編成に使用する編針を、第２使用編針とし、第２針床側の編地の編成には使用しない編針を、第２不使用編針とし、ｎを、１以上の整数とし、１本の第１使用編針とｎ本の第１不使用編針とが交互に繰り返されるように、第１針床上に並設されている多数の編針を、第１使用編針と第１不使用編針とに区分けし、１本の第２使用編針とｎ本の第２不使用編針とが交互に繰り返されるように、かつ、第２使用編針が第１使用編針とは対向しないようずれた位置になるように、第２針床上に並設されている多数の編針を、第２使用編針と第２不使用編針とに区分けし、（Ｃ１）各第１使用編針で順次編目を形成する工程と、（Ｃ２）各第１使用編針で形成された編目を、目移しするものと目移ししないものとに区分けし、目移ししないものについては、第１使用編針に残しつつ、目移しするものについては、対向位置にある第２不使用編針へ目移しする工程と、（Ｃ３）上記（Ｃ２）の工程で第１使用編針に残された編目を、目移しするものと目移ししないものとに区分けし、目移ししないものについては、第１使用編針に残しつつ、目移しするものについては、対向位置にある第２不使用編針へ目移しする工程と、（Ｃ４）上記（Ｃ３）の工程で第１使用編針に残された編目と、上記（Ｃ３）の工程で第２不使用編針へ目移しされた編目とを接結する工程と、（Ｃ５）上記（Ｃ３）の工程で編目が残された各第１使用編針で順次編目を形成する工程と、（Ｃ６）上記（Ｃ３）の工程で編目が目移しされた各第２不使用編針で順次編目を形成する工程と、（Ｃ７）上記（Ｃ６）の工程で第２不使用編針に形成された編目を、対向位置にある第１使用編針へ目移しする工程と、（Ｃ８）上記（Ｃ２）の工程で第２不使用編針へ目移しされた編目を、目移しするものと目移ししないものとに区分けし、目移ししないものについては、第２不使用編針に残しつつ、目移しするものについては、目移しされる前の元の第１使用編針へ移し戻す工程と、（Ｃ９）上記（Ｃ８）の工程で第２不使用編針に残された編目と、上記（Ｃ８）の工程で第１使用編針へ移し戻された編目とを接結する工程と、（Ｃ１０）上記（Ｃ８）の工程で編目が移し戻された各第１使用編針で順次編目を形成する工程と、（Ｃ１１）上記（Ｃ８）の工程で編目が残された各第２不使用編針で順次編目を形成する工程と、（Ｃ１２）上記（Ｃ１０）の工程で第１使用編針に形成された編目を、対向位置にある第２不使用編針へ目移しする工程と、（Ｃ１３）上記（Ｃ６）の工程で第２不使用編針に形成され上記（Ｃ７）の工程で対向位置にある第１使用編針へ目移しされた編目と、上記（Ｃ１０）の工程で第１使用編針に形成され上記（Ｃ１２）の工程で対向する第２不使用編針へ目移しされた編目とを接結する工程と、（Ｃ１４）上記（Ｃ１１）の工程で第２不使用編針に形成された編目と、上記（Ｃ１０）の工程で第１使用編針に形成され上記（Ｃ１２）の工程で対向位置にある第２不使用編針へ目移しされた編目とを、対向位置にある第１使用編針へ目移しする工程と、を含むことを特徴とする。
【００３５】
つまり、第６の発明は、上記（Ｃ１）〜（Ｃ１４）の工程を含むものであり、第３の発明に係る多層編地の編成方法である。
第６の発明によれば、上記（Ｃ１）〜（Ｃ１４）の工程によって、第１針床上に、７層編地を形成することができる。
このため、例えば、第２針床上に、１層編地を形成して、第１針床上の７層編地と第２針床上の１層編地とを接結すれば、９層編地を形成することができる。
また、例えば、第２針床上に、第４の発明の（Ａ１）〜（Ａ６）と同様の工程で、３層編地を形成して、第１針床上の７層編地と第２針床上の３層編地とを接結すれば、１１層編地を形成することができる。
【００３６】
また、例えば、第２針床上に、第５の発明の（Ｂ１）〜（Ｂ１０）と同様の工程で、５層編地を形成して、第１針床上の７層編地と第２針床上の５層編地とを接結すれば、１３層編地を形成することができる。
また、例えば、第２針床上に、上記（Ｃ１）〜（Ｃ１４）と同様の工程で、７層編地を形成して、第１針床上の７層編地と第２針床上の７層編地とを接結すれば、１５層編地を形成することができる。
つまり、第６の発明によれば、９層編地や１１層編地や１３層編地や１５層編地など、７層より多くの層を有する多層編地を、緯編機で編成する方法を提供することができる。
【発明の効果】
【００３７】
本発明によれば、同一編地では編地厚が一定であった平編みやゴム編みといった一層構造である従来編地と異なり、通常厚である一層編地の基本編地部分に加えて、３層よりも多くの層を有することにより、３層編地よりも大きな厚みを有し、３層編地よりも大きなクッション性を発揮する多層編地による地厚部分を求める位置に複数表現した編地、およびこのような多層編地を一対の針床を備えた緯編機のみを使用して編成する方法を提供することができる。
【発明を実施するための最良の形態】
【００３８】
（第１の実施の形態）
第１の実施の形態では、多層編地としての７層編地、およびその製造方法を示す。
図１および図２は、第１の実施の形態に係る多層編地としての７層編地の編成方法を示す編成用針図、図３は、第１の実施の形態に係る多層編地としての７層編地の各層を示す断面図である。
第１の実施の形態に係る多層編地としての７層編地は、横編機を使用して編成されるものであり、また、使用される横編機は、前後に対向配置された第１針床および第２針床を備え、また、第１針床上には、多数の編針が並設され、また、第２針床上にも、多数の編針が並設され、更に、第１針床上の編針と第２針床上の編針との間で、編目を目移し可能に形成されているものである。
【００３９】
そして、第１の実施の形態に係る７層編地は、第１針床上に３層編地を形成するとともに、第２針床上にも３層編地を編成し、第１針床上に形成した３層編地と第２針床上に形成した３層編地とを接結して、７層編地としたものである。
以下、第１針床を前側の針床とし、第２針床を後側の針床として、第１の実施の形態に係る７層編地およびその製造方法について、更に詳しく説明する。
ここで、第１針床上に並設されている多数の編針のうち、第１針床側の編地の編成に使用する編針を、第１使用編針とし、第１針床側の編地の編成には使用しない編針を、第１不使用編針とする。
【００４０】
つまり、第１使用編針とは、第１針床上に並設されている多数の編針のうち、第１針床側の編地の編成に使用する編針をいう。換言すれば、第１使用編針とは、第１針床上に並設されている多数の編針のうち、前側の３層編地の編成に使用する編針をいう。第１使用編針と、後述する第２不使用編針とによって、第１針床上に、前側の３層編地が形成されるのである。
また、第１不使用編針とは、第１針床上に並設されている多数の編針のうち、第１針床側の編地の編成には使用しない編針をいう。換言すれば、第１不使用編針とは、第１針床上に並設されている多数の編針のうち、前側の３層編地の編成には使用しない編針をいう。第１不使用編針と、後述する第２使用編針とによって、第２針床上に、後側の３層編地が形成されるのである。
【００４１】
また、第２針床上に並設されている多数の編針のうち、第２針床側の編地の編成に使用する編針を、第２使用編針とし、第２針床側の編地の編成には使用しない編針を、第２不使用編針とする。
つまり、第２使用編針とは、第２針床上に並設されている多数の編針のうち、第２針床側の編地の編成に使用する編針をいう。換言すれば、第２使用編針とは、第２針床上に並設されている多数の編針のうち、後側の３層編地の編成に使用する編針をいう。第２使用編針と、前述した第１不使用編針とによって、第２針床上に、後側の３層編地が形成されるのである。
【００４２】
また、第２不使用編針とは、第２針床上に並設されている多数の編針のうち、第２針床側の編地の編成には使用しない編針をいう。換言すれば、第２不使用編針とは、第２針床上に並設されている多数の編針のうち、後側の３層編地の編成には使用しない編針をいう。第２不使用編針と、前述した第１使用編針とによって、第１針床上に、前側の３層編地が形成されるのである。
また、横編機を使用して７層編地を編成するに際しては、ｎを、１以上の整数とし、１本の第１使用編針とｎ本の第１不使用編針とが交互に繰り返されるように、第１針床上に並設されている多数の編針を、第１使用編針と第１不使用編針とに区分けするとともに、１本の第２使用編針とｎ本の第２不使用編針とが交互に繰り返されるように、かつ、第２使用編針が第１使用編針とは対向しないようずれた位置になるように、第２針床上に並設されている多数の編針を、第２使用編針と第２不使用編針とに区分けする。
【００４３】
第１の実施の形態では、ｎ＝１とし、１本の第１使用編針と１本の第１不使用編針とが交互に繰り返されるように、第１針床上に並設されている多数の編針を、第１使用編針と第１不使用編針とに区分けするとともに、１本の第２使用編針と１本の第２不使用編針とが交互に繰り返されるように、かつ、第２使用編針が第１使用編針とは対向しないようにずれた位置になるように、第２針床上に並設されている多数の編針を、第２使用編針と第２不使用編針とに区分けしている。
より具体的には、図１に示すように、第１針床（図１中で「前」と記してある方）については、編幅の左側から奇数番目（１，３，５，７，９・・・）の編針を第１使用編針とするとともに、編幅の左側から偶数番目（２，４，６，８，１０・・・）の編針を第１不使用編針とし、また、第２針床（図１中で「後」と記してある方）については、編幅の左側から偶数番目（２，４，６，８，１０・・・）の編針を第２使用編針とするとともに、編幅の左側から奇数番目（１，３，５，７，９・・・）の編針を第２不使用編針としている。このようにして、１本の第１使用編針と１本の第１不使用編針とが交互に繰り返され、また、１本の第２使用編針と１本の第２不使用編針とが交互に繰り返され、さらに、第１使用編針と第２使用編針とが対向しないようにしている。なお、第１使用編針は、第２不使用編針と対向し、また、第２使用編針は、第１不使用編針と対向している。
【００４４】
そして、第１の実施の形態に係る７層編地は、下記の（１）〜（１３）の工程で編成される。また、図１および図２中のカッコ内の数字は、下記の（１）〜（１３）の各工程に対応する。また、図１中の（１）と（３）〜（７）の工程は、第１針床（前側の針床）上に３層編地を形成する工程であり、また、図１および図２中の（２）と（８）〜（１２）の工程は、第２針床（後側の針床）上に３層編地を形成する工程であり、また、図２中の（１３）の工程は、第１針床上に形成された３層編地と第２針床上に形成された３層編地とを接結する工程である。以下、各工程について具体的に説明する。
（１）の工程は、各第１使用編針で順次編目を形成する、というものである。具体的には、（１）の工程では、編幅のいずれか一方側から他方側へ向けて、第１使用編針とされる第１針床上の１，３，５，７，９・・・番目の各編針で、糸が順次ニットされて編目が形成される。そして、（１）の工程が終わると、次の（２）の工程へ進む。
【００４５】
（２）の工程は、各第２使用編針で順次編目を形成する、というものである。具体的には、（２）の工程では、編幅のいずれか一方側から他方側へ向けて、第２使用編針とされる第２針床上の２，４，６，８，１０・・・番目の各編針で、糸が順次ニットされて編目が形成される。そして、（２）の工程が終わると、次の（３）の工程へ進む。
（３）の工程は、各第１使用編針で形成された編目を、目移しするものと目移ししないものとに区分けし、目移ししないものについては、第１使用編針に残しつつ、目移しするものについては、対向位置にある第２不使用編針へ目移しする、というものである。具体的には、（３）の工程では、各第１使用編針で形成された編目のうち、編幅のいずれか一方側から奇数番目にあるものを、第１使用編針に残しつつ、同偶数番目にあるものを、対向位置にある第２不使用編針へ目移しする。つまり、（３）の工程では、各第１使用編針で形成された編目が、編幅のいずれか一方側から偶数番目にあるものと奇数番目にあるものとに区分けされ、奇数番目にある編目が、目移ししないものとされ、偶数番目にある編目が、目移しするものとされる。そして、目移ししないとされたものについては、第１使用編針に残され、目移しするとされたものについては、対向位置にある第２不使用編針へ目移しされる。より具体的には、（３）の工程では、上記（１）の工程で第１針床上の１，３，５，７，９・・・番目の各編針で形成された編目のうち、編幅の左側から奇数番目（１，５，９，１３・・・）にあるものが、第１使用編針に残されつつ、同偶数番目（３，７，１１，１５・・・）にあるものが、対向位置にある第２不使用編針に目移しされる。そして、（３）の工程が終わると、次の（４）の工程へ進む。
【００４６】
（４）の工程は、第１使用編針に残された編目と第２不使用編針へ目移しされた編目とを接結する、というものである。具体的には、（４）の工程では、編幅のいずれか一方側から他方側へ向けて、上記（３）の工程で第１針床上の１，５，９，１３・・・番目の編針に残された編目と、上記（３）の工程で第２針床上の３，７，１１，１５・・・番目の編針へ目移しされた編目とが、糸で交互にタックされて接結される。そして、（４）の工程が終わると、次の（５）の工程へ進む。
（５）の工程は、上記（３）の工程で編目が残された各第１使用編針で順次編目を形成する、というものである。具体的には、（５）の工程では、編幅のいずれか一方側から他方側へ向けて、上記（３）の工程で編目が残された第１針床上の１，５，９，１３・・・番目の各編針で、糸が順次ニットされて編目が形成される。そして、（５）の工程が終わると、次の（６）の工程へ進む。
【００４７】
（６）の工程は、上記（３）の工程で編目が目移しされた各第２不使用編針で順次編目を形成する、というものである。具体的には、（６）の工程では、編幅のいずれか一方側から他方側へ向けて、上記（３）の工程で編目が目移しされた第２針床上の３，７，１１，１５・・・番目の各編針で、糸が順次ニットされて編目が形成される。そして、（６）の工程が終わると、次の（７）の工程へ進む。
（７）の工程は、上記（３）の工程で第２不使用編針へ目移しされた編目を、目移しされる前の元の第１使用編針へ移し戻す、というものである。具体的には、（７）の工程では、上記（３）の工程で第２針床上の３，７，１１，１５・・・番目の編針へ目移しされた編目が、上記（６）の工程で形成された編目とともに、第１針床上の３，７，１１，１５・・・番目の編針へ移し戻される。そして、（７）の工程が終わると、次の（８）の工程へ進む。
【００４８】
（８）の工程は、各第２使用編針で形成された編目を、目移しするものと目移ししないものとに区分けし、目移ししないものについては、第２使用編針に残しつつ、目移しするものについては、対向位置にある第１不使用編針へ目移しする、というものであり、上記（３）の工程に対応するものである。具体的には、（８）の工程では、各第２使用編針に形成された編目のうち、編幅のいずれか一方側から奇数番目にあるものを、第２使用編針に残しつつ、同偶数番目にあるものを、対向位置にある第１不使用編針へ目移しする。つまり、（３）の工程では、各第２使用編針で形成された編目が、編幅のいずれか一方側から偶数番目にあるものと奇数番目にあるものとに区分けされ、奇数番目にある編目が、目移ししないものとされ、偶数番目にある編目が、目移しするものとされる。そして、目移ししないとされたものについては、第２使用編針に残され、目移しするとされたものについては、対向位置にある第１不使用編針へ目移しされる。より具体的には、（８）の工程では、上記（２）の工程で第２針床上の２，４，６，８，１０・・・番目の各編針で形成された編目のうち、編幅の左側から奇数番目（２，６，１０，１４・・・）にあるものが、第２使用編針に残されつつ、同偶数番目（４，８，１２，１６・・・）にあるものが、対向位置にある第１不使用編針に目移しされる。そして、（８）の工程が終わると、次の（９）の工程へ進む。
【００４９】
（９）の工程は、上記（８）の工程で第２使用編針に残された編目と上記（８）の工程で第１不使用編針へ目移しされた編目とを接結する、というものであり、上記（４）の工程に対応するものである。具体的には、（９）の工程では、編幅のいずれか一方側から他方側へ向けて、上記（８）の工程で第２針床上の２，６，１０，１４・・・番目の編針に残された編目と、上記（８）の工程で第１針床上の４，８，１２，１６・・・番目の編針へ目移しされた編目とが、糸で交互にタックされて接結される。そして、（９）の工程が終わると、次の（１０）の工程へ進む。
（１０）の工程は、上記（８）の工程で編目が目移しされた各第１不使用編針で順次編目を形成する、というものであり、上記（６）の工程に対応するものである。具体的には、（１０）の工程では、編幅のいずれか一方側から他方側へ向けて、上記（８）の工程で編目が目移しされた第１針床上の４，８，１２，１６・・・番目の各編針で、糸が順次ニットされて編目が形成される。そして、（１０）の工程が終わると、次の（１１）の工程へ進む。
【００５０】
（１１）の工程は、上記（８）の工程で編目が残された各第２使用編針で順次編目を形成する、というものであり、上記（５）の工程に対応するものである。具体的には、（１１）の工程では、編幅のいずれか一方側から他方側へ向けて、上記（８）の工程で編目が残された第２針床上の２，６，１０，１４・・・番目の各編針で、糸が順次ニットされて編目が形成される。そして、（１１）の工程が終わると、次の（１２）の工程へ進む。
（１２）の工程は、上記（８）の工程で第１不使用編針へ目移しされた編目を、目移しされる前の元の第２使用編針へ移し戻す、というものであり、上記（７）の工程に対応するものである。具体的には、（１２）の工程では、上記（８）の工程で第１針床上の４，８，１２，１６・・・番目の編針へ目移しされた編目が、上記（１０）の工程で形成された編目とともに、第２針床上の４，８，１２，１６・・・番目の編針へ移し戻される。そして、（１２）の工程が終わると、次の（１３）の工程へ進む。
【００５１】
（１３）の工程は、上記（６）の工程で形成されて上記（７）の工程で第１使用編針へ移された編目と、上記（１０）の工程で形成されて上記（１２）の工程で第２使用編針へ移された編目とを接結する、というものである。具体的には、編幅のいずれか一方側から他方側へ向けて、上記（６）の工程で第２針床上の３，７，１１，１５・・・番目の編針で形成されて上記（７）の工程で対向位置にある第１針床上の３，７，１１，１５・・・番目の編針へ移された編目と、上記（１０）の工程で第１針床上の４，８，１２，１６・・・番目の編針で形成されて上記（１２）の工程で対向位置にある第２針床上の４，８，１２，１６・・・番目の編針へ移された編目とが糸で交互にタックされて接結される。そして、（１３）の工程が終わると、図３に示すような断面を有する７層編地が形成される。
【００５２】
また、図３中の（１）の層は、最も前の層であって、上記（５）のニット工程で形成されるものであり、また、図３中の（２）の層は、前から２番目の層であって、上記（４）のタック工程で形成されるものであり、また、図３中の（３）の層は、前から３番目の層であって、上記（６）のニット工程で形成されるものであり、また、図３中の（４）の層は、前から４番目の層であって、上記（１３）のタック工程で形成されるものであり、また、図３中の（５）の層は、前から５番目の層であって、上記（１０）のニット工程で形成されるものであり、また、図３中の（６）の層は、前から６番目の層であって、上記（９）のタック工程で形成されるものであり、また、図３中の（７）の層は、最も後の層であって、上記（１１）のニット工程で形成されるものである。
【００５３】
つまり、上記（５）のニット工程は、最も前のニット層（図３中の（１）の層）を形成する工程であり、また、上記（６）のニット工程は、前から３番目のニット層（図３中の（３）の層）を形成する工程であり、また、上記（４）のタック工程は、最も前のニット層と前から３番目のニット層とを接結するタック層（図３中の（２）の層）を形成する工程である。
また、上記（１０）のニット工程は、前から５番目のニット層（図３中の（５）の層）を形成する工程であり、また、上記（１１）のニット工程は、最も後のニット層（図３中の（７）の層）を形成する工程であり、また、上記（９）のタック工程は、前から５番目のニット層と最も後のニット層とを接結するタック層（図３中の（６）の層）を形成する工程である。
【００５４】
また、上記（１３）のニット工程は、前から３番目のニット層と前から５番目のニット層とを接結するタック層（図３中の（４）の層）を形成する工程であって、前側の３層編地における最も後側の層と後側の３層編地における最も前側の層とを接結するタック層を形成する工程ということもできる。
また、上記（１３）の工程において、上記（６）の工程で形成されて上記（７）の工程で第１使用編針へ移された編目（第１針床上の３，７，１１，１５・・・番目の編目）と、上記（１０）の工程で形成されて上記（１２）の工程で第２使用編針へ移された編目（第２針床上の４，８，１２，１６・・・番目の編目）とを糸で交互にタックして接結するからこそ、前側の３層編地における最も後側の層と後側の３層編地における最も前側の層とを接結することができ、これにより、十分な厚みを有する７層編地を形成することができるのである。
【００５５】
（第２の実施の形態）
第２の実施の形態では、多層編地としての１１層編地、およびその製造方法を示す。
図４および図５は、第２の実施の形態に係る多層編地としての１１層編地の編成方法を示す編成用針図、図６は、第２の実施の形態に係る多層編地としての１１層編地の各層を示す断面図である。
第２の実施の形態に係る多層編地としての１１層編地は、横編機を使用して編成されるものであり、また、使用される横編機は、前後に対向配置された第１針床および第２針床を備え、また、第１針床上には、多数の編針が並設され、また、第２針床上にも、多数の編針が並設され、更に、第１針床上の編針と第２針床上の編針との間で、編目を目移し可能に形成されているものである。
【００５６】
そして、第２の実施の形態に係る１１層編地は、第１針床上に５層編地を形成するとともに、第２針床上にも５層編地を編成し、第１針床上に形成した５層編地と第２針床上に形成した５層編地とを接結して、１１層編地としたものである。
以下、第１針床を前側の針床とし、第２針床を後側の針床として、第２の実施の形態に係る１１層編地およびその製造方法について、更に詳しく説明する。
ここで、第１使用編針、第１不使用編針、第２使用編針、第２不使用編針については、第１の実施の形態と同様である。
そして、第２の実施の形態に係る１１層編地は、下記の（１）〜（２１）の工程で編成される。また、図４および図５中のカッコ内の数字は、下記の（１）〜（２１）の各工程に対応する。また、図４および図５中の（１）と（３）〜（１１）の工程は、第１針床（前側の針床）上に５層編地を形成する工程であり、また、図４および図５中の（２）と（１２）〜（２０）の工程は、第２針床（後側の針床）上に５層編地を形成する工程であり、また、図５中の（２１）の工程は、第１針床上に形成された５層編地と第２針床上に形成された５層編地とを接結する工程である。以下、各工程について具体的に説明する。
【００５７】
（１）の工程は、各第１使用編針で順次編目を形成する、というものである。具体的には、（１）の工程では、編幅のいずれか一方側から他方側へ向けて、第１使用編針とされる第１針床上の１，３，５，７，９・・・番目の各編針で、糸が順次ニットされて編目が形成される。そして、（１）の工程が終わると、次の（２）の工程へ進む。
（２）の工程は、各第２使用編針で順次編目を形成する、というものである。具体的には、（２）の工程では、編幅のいずれか一方側から他方側へ向けて、第２使用編針とされる第２針床上の２，４，６，８，１０・・・番目の各編針で、糸が順次ニットされて編目が形成される。そして、（２）の工程が終わると、次の（３）の工程へ進む。
【００５８】
（３）の工程は、各第１使用編針で形成された編目を、目移しするものと目移ししないものとに区分けし、目移ししないものについては、第１使用編針に残しつつ、目移しするものについては、対向位置にある第２不使用編針へ目移しする、というものである。具体的には、（３）の工程では、各第１使用編針で形成された編目のうち、編幅のいずれか一方側から奇数番目にあるものを、第１使用編針に残しつつ、同偶数番目にあるものを、対向位置にある第２不使用編針へ目移しする。つまり、（３）の工程では、各第１使用編針で形成された編目が、編幅のいずれか一方側から偶数番目にあるものと奇数番目にあるものとに区分けされ、奇数番目にある編目が、目移ししないものとされ、偶数番目にある編目が、目移しするものとされる。そして、目移ししないとされたものについては、第１使用編針に残され、目移しするとされたものについては、対向位置にある第２不使用編針へ目移しされる。より具体的には、（３）の工程では、上記（１）の工程で第１針床上の１，３，５，７，９・・・番目の各編針で形成された編目のうち、編幅の左側から奇数番目（１，５，９，１３・・・）にあるものが、第１使用編針に残されつつ、同偶数番目（３，７，１１，１５・・・）にあるものが、対向位置にある第２不使用編針に目移しされる。そして、（３）の工程が終わると、次の（４）の工程へ進む。
【００５９】
（４）の工程は、上記（３）の工程で第２不使用編針へ目移しされた編目を、目移しするものと目移ししないものとに区分けし、目移ししないものについては、第２不使用編針に残しつつ、目移しするものについては、目移しされる前の元の第１使用編針へ移し戻す、というものである。具体的には、（４）の工程では、上記（３）の工程で第２不使用編針へ目移しされた編目のうち、編幅のいずれか一方側から奇数番目にあるものを、第２不使用編針に残しつつ、同偶数番目にあるものを、目移しされる前の元の第１使用編針へ移し戻す。つまり、（４）の工程では、上記（３）の工程で第２不使用編針へ目移しされた編目が、編幅のいずれか一方側から偶数番目にあるものと奇数番目にあるものとに区分けされ、奇数番目にある編目が、目移ししないものとされ、偶数番目にある編目が、目移しするものとされる。そして、目移ししないとされたものについては、第２不使用編針に残され、目移しするとされたものについては、目移しされる前の元の第１使用編針へ移し戻される。より具体的には、（４）の工程では、上記（３）の工程で第２針床上の３，７，１１，１５・・・番目の編針へ目移しされた編目のうち、編幅の左側から奇数番目（３，１１，１９，２７・・・）にあるものが、第２不使用編針に残されつつ、同偶数番目（７，１５，２３，３１・・・）にあるものが、目移しされる前の元の第１使用編針へ移し戻される。そして、（４）の工程が終わると、次の（５）の工程へ進む。
【００６０】
（５）の工程は、上記（４）の工程で第２不使用編針に残された編目と、上記（４）の工程で第１使用編針へ移し戻された編目とを接結する、というものである。具体的には、（５）の工程では、編幅のいずれか一方側から他方側へ向けて、上記（４）の工程で第２針床上の３，１１，１９，２７・・・番目の編針に残された編目と、上記（４）の工程で第１針床上の７，１５，２３，３１・・・番目の編針へ移し戻された編目とが、糸で交互にタックされて接結される。そして、（５）の工程が終わると、次の（６）の工程へ進む。
（６）の工程は、上記（４）の工程で編目が移し戻された各第１使用編針で順次編目を形成する、というものである。具体的には、（６）の工程では、編幅のいずれか一方側から他方側へ向けて、上記（４）の工程で編目が移し戻された第１針床上の７，１５，２３，３１・・・番目の各編針で、糸が順次ニットされて編目が形成される。そして、（６）の工程が終わると、次の（７）の工程へ進む。
【００６１】
（７）の工程は、上記（４）の工程で編目が残された各第２不使用編針で順次編目を形成する、というものである。具体的には、（７）の工程では、編幅のいずれか一方側から他方側へ向けて、上記（４）の工程で編目が残された第２針床上の３，１１，１９，２７・・・番目の各編針で、糸が順次ニットされて編目が形成される。そして、（７）の工程が終わると、次の（８）の工程へ進む。
（８）の工程は、上記（６）の工程で第１使用編針に形成された編目を、対向位置にある第２不使用編針へ目移しする、というものである。具体的には、（８）の工程では、上記（６）の工程で第１針床上の７，１５，２３，３１・・・番目の編針に編目が、対向位置にある第２針床上の７，１５，２３，３１・・・番目の編針へ目移しされる。そして、（８）の工程が終わると、次の（９）の工程へ進む。
【００６２】
（９）の工程は、上記（３）の工程で編目が残された各第１使用編針で順次編目を形成する、というものである。具体的には、（９）の工程では、編幅のいずれか一方側から他方側へ向けて、上記（３）の工程で編目が残された第１針床上の１，５，９，１３・・・番目の各編針で、糸が順次ニットされて編目が形成される。そして、（９）の工程が終わると、次の（１０）の工程へ進む。
（１０）の工程は、上記（９）の工程で第１使用編針に形成された編目と、上記（６）の工程で第１使用編針に形成され上記（８）の工程で対向位置にある第２不使用編針へ目移しされた編目とを接結する、というものである。具体的には、（１０）の工程では、編幅のいずれか一方側から他方側へ向けて、上記（９）の工程で形成された、第１針床上の１，５，９，１３・・・番目の編目のうち、編幅の左側から偶数番目のものである、５，１３，２１，２９・・・番目の編目と、上記（６）の工程で第１針床上の７，１５，２３，３１・・・番目の編針に形成され、上記（８）の工程で対向位置にある第２針床上の７，１５，２３，３１・・・番目の編針へ目移しされた編目とが、糸で交互にタックされて接結される。なお、上記の例では、上記（９）の工程で第１使用編針に形成された編目のうち編幅のいずれか一方側から偶数番目にあるものと、上記（６）の工程で第１使用編針に形成され上記（８）の工程で対向位置にある第２不使用編針へ目移しされた編目とを交互に接結するようにしたが、上記（９）の工程で第１使用編針に形成された編目のうち編幅のいずれか一方側から奇数番目にあるものと、上記（６）の工程で第１使用編針に形成され上記（８）の工程で対向位置にある第２不使用編針へ目移しされた編目とを交互に接結するようにしてもよい。そして、（１０）の工程が終わると、次の（１１）の工程へ進む。
【００６３】
（１１）の工程は、上記（７）の工程で第２不使用編針に形成された編目と、上記（６）の工程で第１使用編針に形成され上記（８）の工程で対向位置にある第２不使用編針へ目移しされた編目とを、対向位置にある第１使用編針へ目移しする、というものである。具体的には、（１１）の工程では、上記（７）の工程で形成された、第２針床上の３，１１，１９，２７・・・番目の編目と、上記（６）の工程で形成され上記（８）の工程で目移しされた、第２針床上の７，１５，２３，３１・・・番目の編目とが、第１針床上の３，７，１１，１５，１９，２３，２７，３１・・・番目の編針へ移し戻される。そして、（１１）の工程が終わると、次の（１２）の工程へ進む。
【００６４】
（１２）の工程は、各第２使用編針で形成された編目を、目移しするものと目移ししないものとに区分けし、目移ししないものについては、第２使用編針に残しつつ、目移しするものについては、対向位置にある第１不使用編針へ目移しする、というものであり、上記（３）の工程に対応するものである。具体的には、（１２）の工程では、各第２使用編針で形成された編目のうち、編幅のいずれか一方側から奇数番目にあるものを、第２使用編針に残しつつ、同偶数番目にあるものを、対向位置にある第１不使用編針へ目移しする。つまり、（１２）の工程では、各第２使用編針で形成された編目が、編幅のいずれか一方側から偶数番目にあるものと奇数番目にあるものとに区分けされ、奇数番目にある編目が、目移ししないものとされ、偶数番目にある編目が、目移しするものとされる。そして、目移ししないとされたものについては、第２使用編針に残され、目移しするとされたものについては、対向位置にある第１不使用編針へ目移しされる。より具体的には、（１２）の工程では、上記（２）の工程で第２針床上の２，４，６，８・・・番目の各編針で形成された編目のうち、編幅の左側から奇数番目（２，６，１０，１４・・・）にあるものが、第２使用編針に残されつつ、同偶数番目（４，８，１２，１６・・・）にあるものが、対向位置にある第１不使用編針に目移しされる。そして、（１２）の工程が終わると、次の（１３）の工程へ進む。
【００６５】
（１３）の工程は、上記（１２）の工程で第１不使用編針へ目移しされた編目を、目移しするものと目移ししないものとに区分けし、目移ししないものについては、第１不使用編針に残しつつ、目移しするものについては、目移しされる前の元の第２使用編針へ移し戻す、というものであり、上記（４）の工程に対応するものである。具体的には、（１３）の工程では、上記（１２）の工程で第１不使用編針へ目移しされた編目のうち、編幅のいずれか一方側から奇数番目にあるものを、第１不使用編針に残しつつ、同偶数番目にあるものを、目移しされる前の元の第２使用編針へ移し戻す。つまり、（１３）の工程では、上記（１２）の工程で第１不使用編針へ目移しされた編目が、編幅のいずれか一方側から偶数番目にあるものと奇数番目にあるものとに区分けされ、奇数番目にある編目が、目移ししないものとされ、偶数番目にある編目が、目移しするものとされる。そして、目移ししないとされたものについては、第１不使用編針に残され、目移しするとされたものについては、目移しされる前の元の第２使用編針へ移し戻される。より具体的には、（１３）の工程では、上記（１２）の工程で第１針床上の４，８，１２，１６・・・番目の編針へ目移しされた編目のうち、編幅の左側から奇数番目（４，１２，２０，２８・・・）にあるものが、第１不使用編針に残されつつ、同偶数番目（８，１６，２４，３２・・・）にあるものが、目移しされる前の元の第２使用編針へ移し戻される。そして、（１３）の工程が終わると、次の（１４）の工程へ進む。
【００６６】
（１４）の工程は、上記（１３）の工程で第１不使用編針に残された編目と、上記（１３）の工程で第２使用編針へ移し戻された編目とを接結する、というものであり、上記（５）の工程に対応するものである。具体的には、（１４）の工程では、編幅のいずれか一方側から他方側へ向けて、上記（１３）の工程で第１針床上の４，１２，２０，２８・・・番目の編針に残された編目と、上記（１３）の工程で第２針床上の８，１６，２４，３２・・・番目の編針へ移し戻された編目とが、糸で交互にタックされて接結される。そして、（１４）の工程が終わると、次の（１５）の工程へ進む。
（１５）の工程は、上記（１３）の工程で編目が移し戻された各第２使用編針で順次編目を形成する、というものであり、上記（６）の工程に対応するものである。具体的には、（１５）の工程では、編幅のいずれか一方側から他方側へ向けて、上記（１３）の工程で編目が移し戻された第２針床上の８，１６，２４，３２・・・番目の各編針で、糸が順次ニットされて編目が形成される。そして、（１５）の工程が終わると、次の（１６）の工程へ進む。
【００６７】
（１６）の工程は、上記（１３）の工程で編目が残された各第１不使用編針で順次編目を形成する、というものであり、上記（７）の工程に対応するものである。具体的には、（１６）の工程では、編幅のいずれか一方側から他方側へ向けて、上記（１３）の工程で編目が残された第１針床上の４，１２，２０，２８・・・番目の各編針で、糸が順次ニットされて編目が形成される。そして、（１６）の工程が終わると、次の（１７）の工程へ進む。
（１７）の工程は、上記（１５）の工程で第２使用編針に形成された編目を、対向位置にある第１不使用編針へ目移しする、というものであり、上記（８）の工程に対応するものである。具体的には、（１７）の工程では、上記（１５）の工程で形成された、第２針床上の８，１６，２４，３２・・・番目の編目が、第１針床上の８，１６，２４，３２・・・番目の編針へ目移しされる。そして、（１７）の工程が終わると、次の（１８）の工程へ進む。
【００６８】
（１８）の工程は、上記（１２）の工程で編目が残された各第２使用編針で順次編目を形成する、というものであり、上記（９）の工程に対応するものである。具体的には、（１８）の工程では、編幅のいずれか一方側から他方側へ向けて、上記（１２）の工程で編目が残された第２針床上の２，６，１０，１４・・・番目の各編針で、糸が順次ニットされて編目が形成される。そして、（１８）の工程が終わると、次の（１９）の工程へ進む。
（１９）の工程は、上記（１８）の工程で第２使用編針に形成された編目と、上記（１５）の工程で第２使用編針に形成され上記（１７）の工程で対向位置にある第１不使用編針へ目移しされた編目とを接結する、というものであり、上記（１０）の工程に対応するものである。具体的には、（１９）の工程では、編幅のいずれか一方側から他方側へ向けて、上記（１８）の工程で形成された、第２針床上の２，６，１０，１４・・・番目の編目のうち、編幅の左側から偶数番目のものである、６，１４，２２，３０・・・番目の編目と、上記（１５）の工程で形成され上記（１７）の工程で目移しされた、第１針床上の８，１６，２４，３２・・・番目の編目とが、糸で交互にタックされて接結される。なお、上記の例では、上記（１８）の工程で第２使用編針に形成された編目のうち編幅のいずれか一方側から偶数番目にあるものと、上記（１５）の工程で第２使用編針に形成され上記（１７）の工程で対向位置にある第１不使用編針へ目移しされた編目とを交互に接結するようにしたが、上記（１８）の工程で第２使用編針に形成された編目のうち編幅のいずれか一方側から奇数番目にあるものと、上記（１５）の工程で第２使用編針に形成され上記（１７）の工程で対向位置にある第１不使用編針へ目移しされた編目とを交互に接結するようにしてもよい。そして、（１９）の工程が終わると、次の（２０）の工程へ進む。
【００６９】
（２０）の工程は、上記（１６）の工程で第１不使用編針に形成された編目と、上記（１５）の工程で第２使用編針に形成され上記（１７）の工程で対向位置にある第１不使用編針へ目移しされた編目とを、対向位置にある第２使用編針へ目移しする、というものであり、上記（１１）の工程に対応するものである。具体的には、（２０）の工程では、上記（１６）の工程で形成された、第１針床上の４，１２，２０，２８・・・番目の編目と、上記（１５）の工程で形成され上記（１７）の工程で目移しされた、第１針床上の８，１６，２４，３２・・・番目の編目とが、第２針床上の４，８，１２，１６，２０，２４，２８，３２・・・番目の編針へ移し戻される。そして、（２０）の工程が終わると、次の（２１）の工程へ進む。
【００７０】
（２１）の工程は、上記（７）の工程で第２不使用編針に形成され上記（１１）の工程で対向位置にある第１使用編針へ目移しされた編目と、上記（１６）の工程で第１不使用編針に形成され上記（２０）の工程で対応位置にある第２使用編針へ目移しされた編目とを接結する、というものである。具体的には、（２１）の工程では、編幅のいずれか一方側から他方側へ向けて、上記（７）の工程で形成され上記（１１）の工程で目移しされた、第１針床上の３，１１，１９，２７・・・番目の編目と、上記（１６）の工程で形成され上記（２０）の工程で目移しされた、第２針床上の４，１２，２０，２８・・・番目の編目とが、糸で交互にタックされて接結される。そして、（２１）の工程が終わると、図６に示すような断面を有する１１層編地が形成されるのである。
【００７１】
また、図６中の（１）の層は、最も前の層であって、上記（９）のニット工程で形成されるものであり、また、図６中の（２）の層は、前から２番目の層であって、上記（１０）のタック工程で形成されるものであり、また、図６中の（３）の層は、前から３番目の層であって、上記（６）のニット工程で形成されるものであり、また、図６中の（４）の層は、前から４番目の層であって、上記（５）のタック工程で形成されるものであり、また、図６中の（５）の層は、前から５番目の層であって、上記（７）のニット工程で形成されるものであり、また、図６中の（６）の層は、前から６番目の層であって、上記（２１）のタック工程で形成されるものであり、また、図６中の（７）の層は、前から７番目の層であって、上記（１６）のニット工程で形成されるものであり、また、図６中の（８）の層は、前から８番目の層であって、上記（１４）のタック工程で形成されるものであり、また、図６中の（９）の層は、前から９番目の層であって、上記（１５）のニット工程で形成されるものであり、また、図６中の（１０）の層は、前から１０番目の層であって、上記（１９）のニット工程で形成されるものであり、また、図６中の（１１）の層は、最も後の層であって、上記（１８）のニット工程で形成されるものである。
【００７２】
つまり、上記（６）のニット工程は、前から３番目のニット層（図６中の（３）の層）を形成する工程であり、また、上記（７）のニット工程は、前から５番目のニット層（図６中の（５）の層）を形成する工程であり、また、上記（５）のタック工程は、前から３番目のニット層と前から５番目のニット層とを接結するタック層（図６中の（４）の層）を形成する工程である。
また、上記（９）のニット工程は、最も前のニット層（図６中の（１）の層）を形成する工程であり、また、上記（１０）のタック工程は、最も前のニット層と前から３番目のニット層とを接結するタック層（図６中の（２）の層）を形成する工程である。
【００７３】
また、上記（１６）のニット工程は、前から７番目のニット層（図６中の（７）の層）を形成する工程であり、また、上記（１５）のニット工程は、前から９番目のニット層（図６中の（９）の層）を形成する工程であり、また、上記（１４）のタック工程は、前から７番目のニット層と前から９番目のニット層とを接結するタック層（図６中の（８）の層）を形成する工程である。
また、上記（１８）のニット工程は、最も後のニット層（図６中の（１１）の層）を形成する工程であり、また、上記（１９）のタック工程は、最も後のニット層と前から９番目のニット層とを接結するタック層（図６中の（１０）の層）を形成する工程である。
【００７４】
また、上記（２１）のタック工程は、前から５番目のニット層と前から７番目のニット層とを接結するタック層（図６中の（６）の層）を形成する工程であって、前側の５層編地における最も後側の層と後側の５層編地における最も前側の層とを接結するタック層を形成する工程ということもできる。
また、上記（２１）の工程において、上記（７）の工程で形成されて上記（１１）の工程で第１使用編針へ移された編目（第１針床上の３，１１，１９，２７・・・番目の編目）と、上記（１６）の工程で形成されて上記（２０）の工程で第２使用編針へ移された編目（第２針床上の４，１２，２０，２８・・・番目の編目）とを糸で交互にタックして接結するからこそ、前側の５層編地における最も後側の層と後側の５層編地における最も前側の層とを接結することができ、これにより、十分な厚みを有する１１層編地を形成することができるのである。
【００７５】
（第３の実施の形態）
第３の実施の形態では、多層編地としての１５層編地、およびその製造方法を示す。
図７ないし図９は、第３の実施の形態に係る多層編地としての１５層編地の編成方法を示す編成用針図、図１０は、第３の実施の形態に係る多層編地としての１５層編地の各層を示す断面図である。
第３の実施の形態に係る多層編地としての１５層編地は、横編機を使用して編成されるものであり、また、使用される横編機は、前後に対向配置された第１針床および第２針床を備え、また、第１針床上には、多数の編針が並設され、また、第２針床上にも、多数の編針が並設され、更に、第１針床上の編針と第２針床上の編針との間で、編目を目移し可能に形成されているものである。
【００７６】
そして、第３の実施の形態に係る１５層編地は、第１針床上に７層編地を形成するとともに、第２針床上にも７層編地を編成し、第１針床上に形成した７層編地と第２針床上に形成した７層編地とを接結して、１５層編地としたものである。
以下、第１針床を前側の針床とし、第２針床を後側の針床として、第３の実施の形態に係る１５層編地およびその製造方法について、更に詳しく説明する。
ここで、第１使用編針、第１不使用編針、第２使用編針、第２不使用編針については、第１の実施の形態と同様である。
そして、第３の実施の形態に係る１５層編地は、下記の（１）〜（２９）の工程で編成される。また、図７ないし図９中のカッコ内の数字は、下記の（１）〜（２９）の各工程に対応する。また、図７および図８中の（１）と（３）〜（１５）の工程は、第１針床（前側の針床）上に７層編地を形成する工程であり、また、図７ないし図９中の（２）と（１６）〜（２９）の工程は、第２針床（後側の針床）上に７層編地を形成する工程であり、また、図９中の（２９）の工程は、第１針床上に形成された７層編地と第２針床上に形成された７層編地とを接結する工程である。以下、各工程について具体的に説明する。
【００７７】
（１）の工程は、各第１使用編針で順次編目を形成する、というものである。具体的には、（１）の工程では、編幅のいずれか一方側から他方側へ向けて、第１使用編針とされる第１針床上の１，３，５，７，９・・・番目の各編針で、糸が順次ニットされて編目が形成される。そして、（１）の工程が終わると、次の（２）の工程へ進む。
（２）の工程は、各第２使用編針で順次編目を形成する、というものである。具体的には、（２）の工程では、編幅のいずれか一方側から他方側へ向けて、第２使用編針とされる第２針床上の２，４，６，８，１０・・・番目の各編針で、糸が順次ニットされて編目が形成される。そして、（２）の工程が終わると、次の（３）の工程へ進む。
【００７８】
（３）の工程は、各第１使用編針で形成された編目を、目移しするものと目移ししないものとに区分けし、目移ししないものについては、第１使用編針に残しつつ、目移しするものについては、対向位置にある第２不使用編針へ目移しする、というものである。具体的には、（３）の工程では、各第１使用編針で形成された編目のうち、編幅のいずれか一方側から奇数番目にあるものを、第１使用編針に残しつつ、同偶数番目にあるものを、対向位置にある第２不使用編針へ目移しする。つまり、（３）の工程では、各第１使用編針で形成された編目が、編幅のいずれか一方側から偶数番目にあるものと奇数番目にあるものとに区分けされ、奇数番目にある編目が、目移ししないものとされ、偶数番目にある編目が、目移しするものとされる。そして、目移ししないとされたものについては、第１使用編針に残され、目移しするとされたものについては、対向位置にある第２不使用編針へ目移しされる。より具体的には、（３）の工程では、上記（１）の工程で第１針床上の１，３，５，７，９・・・番目の各編針で形成された編目のうち、編幅の左側から奇数番目（１，５，９，１３・・・）にあるものが、第１使用編針に残されつつ、同偶数番目（３，７，１１，１５・・・）にあるものが、対向位置にある第２不使用編針へ目移しされる。そして、（３）の工程が終わると、次の（４）の工程へ進む。
【００７９】
（４）の工程は、上記（３）の工程で第１使用編針に残された編目を、目移しするものと目移ししないものとに区分けし、目移ししないものについては、第１使用編針に残しつつ、目移しするものについては、対向位置にある第２不使用編針へ目移しする、というものである。具体的には、（４）の工程では、上記（３）の工程で第１使用編針に残された編目のうち、編幅のいずれか一方側から奇数番目にあるものを、第１使用編針に残しつつ、同偶数番目にあるものを、対向位置にある第２不使用編針へ目移しする、というものである。つまり、（４）の工程では、上記（３）の工程で第１使用編針に残された編目が、編幅のいずれか一方側から偶数番目にあるものと奇数番目にあるものとに区分けされ、奇数番目にある編目が、目移ししないものとされ、偶数番目にある編目が、目移しするものとされる。そして、目移ししないとされたものについては、第１使用編針に残され、目移しするとされたものについては、対向位置にある第２不使用編針へ目移しされる。より具体的には、（４）の工程では、上記（３）の工程で第１針床上の１，５，９，１３・・・番目の編針に残された編目のうち、編幅の左側から奇数番目（１，９，１７，２５・・・）にあるものが、第１使用編針に残されつつ、同偶数番目（５，１３，２１，２９・・・）にあるものが、対向位置にある第２不使用編針へ目移しされる。そして、（４）の工程が終わると、次の（５）の工程へ進む。
【００８０】
（５）の工程は、上記（４）の工程で第１使用編針に残された編目と、上記（４）の工程で第２不使用編針へ目移しされた編目とを接結する、というものである。具体的には、（５）の工程では、編幅のいずれか一方側から他方側へ向けて、上記（４）の工程で第１針床上の１，９，１７，２５・・・番目の編針に残された編目と、上記（４）の工程で第２針床の３，７，１１，１５・・・番目の編針へ目移しされた編目とが、糸で交互にタックされて接結される。そして、（５）の工程が終わると、次の（６）の工程へ進む。
（６）の工程は、上記（４）の工程で編目が残された各第１使用編針で順次編目を形成する、というものである。具体的には、（６）の工程では、編幅のいずれか一方側から他方側へ向けて、上記（４）の工程で編目が残された第１針床上の１，９，１７，２５・・・番目の各編針で、糸が順次ニットされて編目が形成される。そして、（６）の工程が終わると、次の（７）の工程へ進む。
【００８１】
（７）の工程は、上記（４）の工程で編目が目移しされた各第２不使用編針で順次編目を形成する、というものである。具体的には、（７）の工程では、編幅のいずれか一方側から他方側へ向けて、上記（４）の工程で編目が目移しされた第２針床上の５，１３，２１，２９・・・番目の各編針で、糸が順次ニットされて編目が形成される。そして、（７）の工程が終わると、次の（８）の工程へ進む。
（８）の工程は、上記（７）の工程で第２不使用編針に形成された編目を、対向位置にある第１使用編針へ目移しする、というものである。具体的には、（８）の工程では、上記（７）の工程で形成された、第２針床上の５，１３，２１，２９・・・番目の編目が、第１針床上の５，１３，２１，２９・・・番目の編針へ目移しされる。そして、（８）の工程が終わると、次の（９）の工程へ進む。
【００８２】
（９）の工程は、上記（３）の工程で第２不使用編針へ目移しされた編目を、目移しするものと目移ししないものとに区分けし、目移ししないものについては、第２不使用編針に残しつつ、目移しするものについては、目移しされる前の元の第１使用編針へ移し戻す、というものである。具体的には、（９）の工程では、上記（３）の工程で第２不使用編針へ目移しされた編目のうち、編幅のいずれか一方側から奇数番目にあるものを、第２不使用編針に残しつつ、同偶数番目にあるものを、目移しされる前の元の第１使用編針へ移し戻す。つまり、（９）の工程では、上記（３）の工程で第２不使用編針へ目移しされた編目が、編幅のいずれか一方側から偶数番目にあるものと奇数番目にあるものとに区分けされ、奇数番目にある編目が、目移ししないものとされ、偶数番目にある編目が、目移しするものとされる。そして、目移ししないとされたものについては、第２不使用編針に残され、目移しするとされたものについては、目移しされる前の元の第１使用編針へ移し戻される。より具体的には、（９）の工程では、上記（３）の工程で第２針床上の３，７，１１，１５・・・の編針へ目移しされた編目のうち、編幅の左側から奇数番目（３，１１，１９，２７・・・）にあるものが、第２不使用編針に残されつつ、同偶数番目（７，１５，２３，３１・・・）にあるものが、目移しされる前の元の第１使用編針である、第１針床上の７，１５，２３，３１・・・番目の編針へ移し戻される。そして、（９）の工程が終わると、次の（１０）の工程へ進む。
【００８３】
（１０）の工程は、上記（９）の工程で第２不使用編針に残された編目と、上記（９）の工程で第１使用編針へ移し戻された編目とを接結する、というものである。具体的には、（１０）の工程では、編幅のいずれか一方側から他方側へ向けて、上記（９）の工程で第２針床上の３，１１，１９，２７・・・番目の編針に残された編目と、上記（４）の工程で第１針床上の７，１５，２３，３１・・・番目の編針へ移し戻された編目とが、糸で交互にタックされて接結される。そして、（１０）の工程が終わると、次の（１１）の工程へ進む。
（１１）の工程は、上記（９）の工程で編目が移し戻された各第１使用編針で順次編目を形成する、というものである。具体的には、（１１）の工程では、編幅のいずれか一方側から他方側へ向けて、上記（９）の工程で編目が移し戻された第１針床上の７，１５，２３，３１・・・番目の各編針で、糸が順次ニットされて編目が形成される。そして、（１１）の工程が終わると、次の（１２）の工程へ進む。
【００８４】
（１２）の工程は、上記（９）の工程で編目が残された各第２不使用編針で順次編目を形成する、というものである。具体的には、（１２）の工程では、編幅のいずれか一方側から他方側へ向けて、上記（９）の工程で編目が残された第２針床上の３，１１，１９，２７・・・番目の各編針で、糸が順次ニットされて編目が形成される。そして、（１２）の工程が終わると、次の（１３）の工程へ進む。
（１３）の工程は、上記（１１）の工程で第１使用編針に形成された編目を、対向位置にある第２不使用編針へ目移しする、というものである。具体的には、（１３）では、上記（１１）の工程で第１針床上の７，１５，２３，３１・・・番目の編針に形成された編目が、対向位置にある第２針床上の７，１５，２３，３１・・・番目の編針へ目移しされる。そして、（１３）の工程が終わると、次の（１４）の工程へ進む。
【００８５】
（１４）の工程は、上記（７）の工程で第２不使用編針に形成され上記（８）の工程で対向位置にある第１使用編針へ目移しされた編目と、上記（１１）の工程で第１使用編針に形成され上記（１３）の工程で対向位置にある第２不使用編針へ目移しされた編目とを接結する、というものである。具体的には、（１４）の工程では、編幅のいずれか一方側から他方側へ向けて、上記（７）の工程で第２不使用編針に形成され上記（８）の工程で対向位置にある第１使用編針へ目移しされた、第１針床上の５，１３，２１，２９・・・番目の編目と、上記（１１）の工程で第１使用編針に形成され上記（１３）の工程で対向位置にある第２不使用編針へ目移しされた、第２針床上の７，１５，２３，３１・・・番目の編目とが、糸で交互にタックされて接結される。そして、（１４）の工程が終わると、次の（１５）の工程へ進む。
【００８６】
（１５）の工程は、上記（１２）の工程で第２不使用編針に形成された編目と、上記（１１）の工程で第１使用編針に形成され上記（１３）の工程で対向位置にある第２不使用編針へ目移しされた編目とを、対向位置にある第１使用編針へ目移しする、というものである。具体的には、（１５）の工程では、上記（１２）の工程で第２不使用編針に形成された、第２針床上の３，１１，１９，２７・・・番目の編目と、上記（１１）の工程で第１使用編針に形成され上記（１３）の工程で対向位置にある第２不使用編針へ目移しされた、第２針床上の７，１５，２３，３１・・・番目の編目とが、第１針床上の３，７，１１，１５，１９，２３，２７，３１・・・番目の編針へ目移しされる。そして、（１５）の工程が終わると、次の（１６）の工程へ進む。
【００８７】
（１６）の工程は、各第２使用編針で形成された編目を、目移しするものと目移ししないものとに区分けし、目移ししないものについては、第２使用編針に残しつつ、目移しするものについては、対向位置にある第１不使用編針へ目移しする、というものであり、上記（３）の工程に対応するものである。具体的には、（１６）の工程では、各第２使用編針で形成された編目のうち、編幅のいずれか一方側から奇数番目にあるものを、第２使用編針に残しつつ、同偶数番目にあるものを、対向位置にある第１不使用編針へ目移しする。つまり、（１６）の工程では、各第２使用編針で形成された編目が、編幅のいずれか一方側から偶数番目にあるものと奇数番目にあるものとに区分けされ、奇数番目にある編目が、目移ししないものとされ、偶数番目にある編目が、目移しするものとされる。そして、目移ししないとされたものについては、第２使用編針に残され、目移しするとされたものについては、対向位置にある第１不使用編針へ目移しされる。より具体的には、（１６）の工程では、上記（２）の工程で第２針床上の２，４，６，８・・・の各編針で形成された編目のうち、編幅の左側から奇数番目（２，６，１０，１４・・・）にあるものが、第２使用編針に残されつつ、同偶数番目（４，８，１２，１６・・・）にあるものが、対向位置にある第１不使用編針に目移しされる。そして、（１６）の工程が終わると、次の（１７）の工程へ進む。
【００８８】
（１７）の工程は、上記（１６）の工程で第２使用編針に残された編目を、目移しするものと目移ししないものとに区分けし、目移ししないものについては、第２使用編針に残しつつ、目移しするものについては、対向位置にある第１不使用編針へ目移しする、というものであり、上記（４）の工程に対応するものである。具体的には、（１７）の工程では、上記（１６）の工程で第２使用編針に残された編目のうち、編幅のいずれか一方側から奇数番目にあるものを、第２使用編針に残しつつ、同偶数番目にあるものを、対向位置にある第１不使用編針へ目移しする、というものである。つまり、（１７）の工程では、上記（１６）の工程で第２使用編針に残された編目が、編幅のいずれか一方側から偶数番目にあるものと奇数番目にあるものとに区分けされ、奇数番目にある編目が、目移ししないものとされ、偶数番目にある編目が、目移しするものとされる。そして、目移ししないとされたものについては、第２使用編針に残され、目移しするとされたものについては、対向位置にある第１不使用編針へ目移しされる。より具体的には、（１７）の工程では、上記（１６）の工程で第２針床上の２，６，１０，１４・・・番目の編針に残された編目のうち、編幅の左側から奇数番目（２，１０，１８，２６・・・）にあるものが、第２使用編針に残されつつ、同偶数番目（６，１４，２２，３０・・・）にあるものが、対向位置にある第１不使用編針へ目移しされる。そして、（１７）の工程が終わると、次の（１８）の工程へ進む。
【００８９】
（１８）の工程は、上記（１７）の工程で第２使用編針に残された編目と、上記（１７）の工程で第１不使用編針へ目移しされた編目とを接結する、というものであり、上記（５）の工程に対応するものである。具体的には、（１８）の工程では、編幅のいずれか一方側から他方側へ向けて、上記（１７）の工程で第２針床上の２，１０，１８，２６・・・番目の編針に残された編目と、上記（１７）の工程で第１針床の４，８，１２，１６・・・番目の編針へ目移しされた編目とが、糸で交互にタックされて接結される。そして、（１８）の工程が終わると、次の（１９）の工程へ進む。
（１９）の工程は、上記（１７）の工程で編目が残された各第２使用編針で順次編目を形成する、というものであり、上記（６）の工程に対応するものである。具体的には、（１９）の工程では、編幅のいずれか一方側から他方側へ向けて、上記（１７）の工程で編目が残された第２針床上の２，１０，１８，２６・・・番目の各編針で、糸が順次ニットされて編目が形成される。そして、（１９）の工程が終わると、次の（２０）の工程へ進む。
【００９０】
（２０）の工程は、上記（１７）の工程で編目が目移しされた各第１不使用編針で順次編目を形成する、というものであり、上記（７）の工程に対応するものである。具体的には、（２０）の工程では、編幅のいずれか一方側から他方側へ向けて、上記（１７）の工程で編目が目移しされた第１針床上の６，１４，２２，３０・・・番目の各編針で、糸が順次ニットされて編目が形成される。そして、（２０）の工程が終わると、次の（２１）の工程へ進む。
（２１）の工程は、上記（２０）の工程で第１不使用編針に形成された編目を、対向位置にある第２使用編針へ目移しする、というものであり、上記（８）の工程に対応するものである。具体的には、（２１）の工程では、上記（２０）の工程で形成された、第１針床上の６，１４，２２，３０・・・番目の編目が、第２針床上の６，１４，２２，３０・・・番目の編針へ目移しされる。そして、（２１）の工程が終わると、次の（２２）の工程へ進む。
【００９１】
（２２）の工程は、上記（１６）の工程で第１不使用編針へ目移しされた編目を、目移しするものと目移ししないものとに区分けし、目移ししないものについては、第１不使用編針に残しつつ、目移しするものについては、目移しされる前の元の第２使用編針へ移し戻す、というものであり、上記（９）の工程に対応するものである。具体的には、（２２）の工程では、上記（２２）の工程で第１不使用編針へ目移しされた編目のうち、編幅のいずれか一方側から奇数番目にあるものを、第１不使用編針に残しつつ、同偶数番目にあるものを、目移しされる前の元の第２使用編針へ移し戻す。つまり、（２２）の工程では、上記（１６）の工程で第１不使用編針へ目移しされた編目が、編幅のいずれか一方側から偶数番目にあるものと奇数番目にあるものとに区分けされ、奇数番目にある編目が、目移ししないものとされ、偶数番目にある編目が、目移しするものとされる。そして、目移ししないとされたものについては、第１不使用編針に残され、目移しするとされたものについては、目移しされる前の元の第２使用編針へ移し戻される。より具体的には、（２２）の工程では、上記（１６）の工程で第１針床上の４，８，１２，１６・・・の編針へ目移しされた編目のうち、編幅の左側から奇数番目（４，１２，２０，２８・・・）にあるものが、第１不使用編針に残されつつ、同偶数番目（８，１６，２４，３２・・・）にあるものが、目移しされる前の元の第２使用編針である、第２針床上の８，１６，２４，３２・・・番目の編針へ移し戻される。そして、（２２）の工程が終わると、次の（２３）の工程へ進む。
【００９２】
（２３）の工程は、上記（２２）の工程で第１不使用編針に残された編目と、上記（２２）の工程で第２使用編針へ移し戻された編目とを接結する、というものであり、上記（１０）の工程に対応するものである。具体的には、（２３）の工程では、編幅のいずれか一方側から他方側へ向けて、上記（２２）の工程で残された、第１針床上の４，１２，２０，２８・・・番目の編目と、上記（１３）の工程で移し戻された、第２針床上の８，１６，２４，３２・・・番目の編目とが、糸で交互にタックされて接結される。そして、（２３）の工程が終わると、次の（２４）の工程へ進む。
（２４）の工程は、上記（２２）の工程で編目が移し戻された各第２使用編針で順次編目を形成する、というものであり、上記（１１）の工程に対応するものである。具体的には、（２４）の工程では、編幅のいずれか一方側から他方側へ向けて、上記（２２）の工程で編目が移し戻された、第２針床上の８，１６，２４，３２・・・番目の各編針で、糸が順次ニットされて編目が形成される。そして、（２４）の工程が終わると、次の（２５）の工程へ進む。
【００９３】
（２５）の工程は、上記（２２）の工程で編目が残された各第１不使用編針で順次編目を形成する、というものであり、上記（１２）の工程に対応するものである。具体的には、（２５）の工程では、編幅のいずれか一方側から他方側へ向けて、上記（２２）の工程で編目が残された、第１針床上の４，１２，２０，２８・・・番目の各編針で、糸が順次ニットされて編目が形成される。そして、（２５）の工程が終わると、次の（２６）の工程へ進む。
（２６）の工程は、上記（２４）の工程で第２使用編針に形成された編目を、対向位置にある第１不使用編針へ目移しする、というものであり、上記（１３）の工程に対応するものである。具体的には、（２６）の工程では、上記（２４）の工程で形成された、第２針床上の８，１６，２４，３２・・・番目の編目が、対向位置にある第１針床上の８，１６，２４，３２・・・番目の編針へ目移しされる。そして、（２６）の工程が終わると、次の（２７）の工程へ進む。
【００９４】
（２７）の工程は、上記（２０）の工程で第１不使用編針に形成され上記（２１）の工程で対向位置にある第２使用編針へ目移しされた編目と、上記（２４）の工程で第２使用編針に形成され上記（２６）の工程で対向位置にある第１不使用編針へ目移しされた編目とを接結する、というものであり、上記（１４）の工程に対応するものである。具体的には、（２７）の工程では、編幅のいずれか一方側から他方側へ向けて、上記（２０）の工程で第１不使用編針に形成され上記（２１）の工程で対向位置にある第２使用編針へ目移しされた、第２針床上の６，１４，２２，３０・・・番目の編目と、上記（２４）の工程で第２使用編針に形成され上記（２６）の工程で対向位置にある第１不使用編針へ目移しされた、第１針床上の８，１６，２４，３２・・・番目の編目とが、糸で交互にタックされて接結される。そして、（２７）の工程が終わると、次の（２８）の工程へ進む。
【００９５】
（２８）の工程は、上記（２５）の工程で第１不使用編針に形成された編目と、上記（２４）の工程で第２使用編針に形成され上記（２６）の工程で対向位置にある第１不使用編針へ目移しされた編目とを、対向位置にある第２使用編針へ目移しする、というものであり、上記（１５）の工程に対応するものである。具体的には、（２８）の工程では、上記（２５）の工程で第１不使用編針に形成された、第１針床上の４，１２，２０，２８・・・番目の編目と、上記（２４）の工程で第２使用編針に形成され上記（２６）の工程で対向位置にある第１不使用編針へ目移しされた、第１針床上の８，１６，２４，３２・・・番目の編目とが、第２針床上の４，８，１２，１６，２０，２４，２８，３２・・・番目の編針へ目移しされる。そして、（２８）の工程が終わると、次の（２９）の工程へ進む。
【００９６】
（２９）の工程は、上記（１２）の工程で第２不使用編針に形成され上記（１５）の工程で対向位置にある第１使用編針へ目移しされた編目と、上記（２５）の工程で第１不使用編針に形成され上記（２８）の工程で対応位置にある第２使用編針へ目移しされた編目とを接結する、というものである。具体的には、（２９）の工程では、編幅のいずれか一方側から他方側へ向けて、上記（１２）の工程で形成され上記（１５）の工程で目移しされた、第１針床上の３，１１，１９，２７・・・番目の編目と、上記（２５）の工程で形成され上記（２８）の工程で目移しされた、第２針床上の４，１２，２０，２８・・・番目の編目とが、糸で交互にタックされて接結される。そして、（２９）の工程が終わると、図１０に示すような断面を有する１５層編地が形成されるのである。
【００９７】
また、図１０中の（１）の層は、最も前の層であって、上記（６）のニット工程で形成されるものであり、また、図１０中の（２）の層は、前から２番目の層であって、上記（５）のタック工程で形成されるものであり、また、図１０中の（３）の層は、前から３番目の層であって、上記（７）のニット工程で形成されるものであり、また、図１０中の（４）の層は、前から４番目の層であって、上記（１４）のタック工程で形成されるものであり、また、図１０中の（５）の層は、前から５番目の層であって、上記（１１）のニット工程で形成されるものであり、また、図１０中の（６）の層は、前から６番目の層であって、上記（１０）のタック工程で形成されるものであり、また、図１０中の（７）の層は、前から７番目の層であって、上記（１２）のニット工程で形成されるものであり、また、図１０中の（８）の層は、前から８番目の層であって、上記（２９）のタック工程で形成されるものであり、また、図１０中の（９）の層は、前から９番目の層であって、上記（２５）のニット工程で形成されるものであり、また、図１０中の（１０）の層は、前から１０番目の層であって、上記（２３）のタック工程で形成されるものであり、また、図１０中の（１１）の層は、前から１１番目の層であって、上記（２４）のニット工程で形成されるものであり、また、図１０中の（１２）の層は、前から１２番目の層であって、上記（２７）のタック工程で形成されるものであり、また、図１０中の（１３）の層は、前から１３番目の層であって、上記（２０）のニット工程で形成されるものであり、また、図１０中の（１４）の層は、前から１４番目の層であって、上記（１８）のタック工程で形成されるものであり、また、図１０中の（１５）の層は、最も後の層であって、上記（１９）のニット工程で形成されるものである。
【００９８】
つまり、上記（６）のニット工程は、最も前のニット層（図１０中の（１）の層）を形成する工程であり、また、上記（７）のニット工程は、前から３番目のニット層（図１０中の（３）の層）を形成する工程であり、また、上記（５）のタック工程は、最も前のニット層と前から３番目のニット層とを接結するタック層（図１０中の（２）の層）を形成する工程である。
また、上記（１１）のニット工程は、前から５番目のニット層（図１０中の（５）の層）を形成する工程であり、また、上記（１２）のニット工程は、前から７番目のニット層（図１０中の（７）の層）を形成する工程であり、また、上記（１０）のタック工程は、前から５番目のニット層と前から７番目のニット層とを接結するタック層（図１０中の（６）の層）を形成する工程である。
【００９９】
また、上記（１４）のタック工程は、前から３番目のニット層（図１０中の（３）の層）と前から５番目のニット層（図１０中の（５）の層）とを接結するタック層（図１０中の（４）の層）を形成する工程である。
また、上記（１９）のニット工程は、最も後のニット層（図１０中の（１５）の層）を形成する工程であり、また、上記（２０）のニット工程は、前から１３番目のニット層（図１０中の（１３）の層）を形成する工程であり、また、上記（１８）のタック工程は、最も後のニット層と前から１３番目のニット層とを接結するタック層（図１０中の（１４）の層）を形成する工程である。
【０１００】
また、上記（２４）のニット工程は、前から１１番目のニット層（図１０中の（１１）の層）を形成する工程であり、また、上記（２５）のニット工程は、前から９番目のニット層（図１０中の（９）の層）を形成する工程であり、また、上記（２３）のタック工程は、前から１１番目のニット層と前から９番目のニット層とを接結するタック層（図１０中の（１０）の層）を形成する工程である。
また、上記（２７）のタック工程は、前から１３番目のニット層（図１０中の（１３）の層）と前から１１番目のニット層（図１０中の（１１）の層）とを接結するタック層（図１０中の（１２）の層）を形成する工程である。
【０１０１】
また、上記（２９）のタック工程は、前から７番目のニット層と前から９番目のニット層とを接結するタック層（図１０中の（８）の層）を形成する工程であって、前側の７層編地における最も後側の層と後側の７層編地における最も前側の層とを接結するタック層を形成する工程ということもできる。
また、上記（２９）の工程において、上記（１２）の工程で形成され上記（１５）の工程で目移しされた、第１針床上の３，１１，１９，２７・・・番目の編目と、上記（２５）の工程で形成され上記（２８）の工程で目移しされた、第２針床上の４，１２，２０，２８・・・番目の編目とを糸で交互にタックして接結するからこそ、前側の７層編地における最も後側の層と後側の７層編地における最も前側の層とを接結することができ、これにより、十分な厚みを有する１５層編地を形成することができるのである。
【０１０２】
（他の実施の形態）
なお、第１から第３の各実施の形態では、接結を、タックにより行ったが、接結は、タックに限られるものではなく、ニットとしてもよい。
具体的には、例えば、第１の実施の形態において、（４）の工程で、第１針床上の１，５，９，１３・・・番目の編目と、第２針床上の３，７，１１，１５・・・番目の編目とを接結するに際し、これらを糸で交互にニットするようにしてもよい。
また、第１の実施の形態では、７層編地を、第２の実施の形態では、１１層編地を、第３の実施の形態では、１５層編地を示したが、多層編地は、７層、１１層、１５層の３つに限られるものではなく、例えば、第１針床で３層編地を形成するとともに、第２針床で１層編地を形成し、これらを接結して、５層編地としてもよく、また、第１針床で５層編地を形成するとともに、第２針床で１層編地を形成し、これらを接結して、７層編地としてもよく、また、第１針床で７層編地を形成するとともに、第２針床で１層編地を形成し、これらを接結して、９層編地としてもよく、また、第１針床で３層編地を形成するとともに、第２針床で５層編地を形成し、これらを接結して、９層編地としてもよく、また、第１針床で３層編地を形成するとともに、第２針床で７層編地を形成し、これらを接結して、１１層編地としてもよく、また、第１針床で５層編地を形成するとともに、第２針床で７層編地を形成し、これらを接結して、１３層編地としてもよい。
【０１０３】
また、編地全体を、７層、１１層、１５層などの多層としてもよく、また、平編みやゴム編みといった一層構造である従来編地の一部のみを、７層、１１層、１５層などの多層としてもよい。
【実施例】
【０１０４】
以下、実施例により、本発明を更に詳しく説明する。
第１の実施の形態で示した製造方法に従い、下記の横編機、弾性糸および非弾性糸を使用して、多層編地としての７層編地を編成した。
使用した横編機：編幅１８０ｃｍ、編針密度７ゲージ（７本／２．５４ｃｍ）の自動制御横編機（株式会社島精機製作所製無縫製編機ＳＷＧ−Ｖ）
使用した弾性糸：ポリウレタン（２８０デニール）／ウーリーポリエステル（７０デニール）ダブルカバリング糸×２本
使用した非弾性糸：ポリエステルマルチフィラメント糸（７６０デニール／９６フィラメント）×２本
また、７層編地について、編成時に使用する針の間隔を変更して接結点間距離を長くし、厚さ付与効果を調べた。
【０１０５】
ここで、伸縮糸の編地厚さ付与効果を見るため、表面糸および接結糸の組み合わせを、図１１の（１）および（２）とした。
図１２の結果から、図１１の（１）の組み合わせでは、厚さに変化は見られなかった。針間隔を大きくするに従い、編目が大きくなり魚網状の編地表面となるのみであった。
それに対して、図１２の（２）の組み合わせでは、針間隔を大きくすることにより、厚みを増加させる良好な結果が得られた。
さらに多層編地としての７層編地に対して、第１の実施の形態における（５）の工程および（１１）の工程において、接結部一段分（１コース）に対して表面部を連続して複数段（複数コース）編み込んで片袋状に編成する引き返し編みを、繰り返し行うことによって、７層編地の編地表面片側もしくは両側に、さらに凸部分を付与することで、凹凸編地を編成した。
【０１０６】
ここで、接結糸と表面糸を同じ弾性糸：ポリウレタン（２８０デニール）／ウーリーポリエステル（７０デニール）ダブルカバリング糸×２本、で編成した編地両面に、凸部を付与した編地について、引き返し編みの目数毎の厚さ変化を調べた。その結果を図１３に示す。針間隔１本で編地両面に引き返し編目数２８目の条件で試作した編地では、初期の１／２以上の厚さを保持できることが分かった。
本発明の多層編地は、クッション材等の厚みと圧縮回復性を必要とする製品や、部分的にクッション性が要求される関節痛等の痛みの軽減用サポーター製品等の部材として好適に用いられる。
【図面の簡単な説明】
【０１０７】
【図１】第１の実施の形態に係る多層編地としての７層編地の編成方法を示す編成用針図。
【図２】第１の実施の形態に係る多層編地としての７層編地の編成方法を示す編成用針図。
【図３】第１の実施の形態に係る多層編地としての７層編地の各層を示す断面図。
【図４】第２の実施の形態に係る多層編地としての１１層編地の編成方法を示す編成用針図。
【図５】第２の実施の形態に係る多層編地としての１１層編地の編成方法を示す編成用針図。
【図６】第２の実施の形態に係る多層編地としての１１層編地の各層を示す断面図。
【図７】第３の実施の形態に係る多層編地としての１５層編地の編成方法を示す編成用針図。
【図８】第３の実施の形態に係る多層編地としての１５層編地の編成方法を示す編成用針図。
【図９】第３の実施の形態に係る多層編地としての１５層編地の編成方法を示す編成用針図。
【図１０】第３の実施の形態に係る多層編地としての１５層編地の各層を示す断面図。
【図１１】実施例における編成糸の組み合わせを示す図。
【図１２】実施例における使用針間隔別の編地の厚さを示す図。
【図１３】実施例における凹凸付与編地の目数毎の厚さ変化を示す図。
【図１】
0005022207.tif 000002
【図２】
0005022207.tif 000003
【図３】
0005022207.tif 000004
【図４】
0005022207.tif 000005
【図５】
0005022207.tif 000006
【図６】
0005022207.tif 000007
【図７】
0005022207.tif 000008
【図８】
0005022207.tif 000009
【図９】
0005022207.tif 000010
【図１０】
0005022207.tif 000011
【図１１】
0005022207.tif 000012
【図１２】
0005022207.tif 000013
【図１３】
0005022207.tif 000014